(57)【特許請求の範囲】
【請求項１】
ワイヤレス通信ネットワークを介して通信する方法であって、
第１の仕様に従ってメッセージの送信のための総帯域幅を決定することと、前記総帯域幅が複数のトーンを備える、ここにおいて、前記総帯域幅の一部が、前記第１の仕様とは異なる第２の仕様に従う送信によって占有される、
前記第２の仕様に従って、少なくとも１つの物理的境界を維持するトーンプランを形成するために、前記複数のトーンを、複数の使用可能なトーンと、複数のガードトーンと、複数の直流トーンとの間で論理的に分割することと、
前記複数の使用可能なトーンを複数のリソースユニットと、センターブロック、左センターブロック、および右センターブロックのうちの１つまたは複数との間で論理的に分割することと、ここにおいて、前記センターブロック、前記左センターブロック、および前記右センターブロックのうちの前記１つまたは複数のうちの少なくとも１つに割り振られた前記複数の使用可能なトーンからのトーンは、前記少なくとも１つの物理的境界の両側に位置する、
表示を決定することと、前記表示が、前記複数のリソースユニットのうちの少なくとも２つを複数のワイヤレス通信デバイスのうちの１つのワイヤレス通信デバイスに割り当て、チャネルボンディングし、前記センターブロック、前記左センターブロック、および前記右センターブロックのうちの１つの少なくとも一部を前記複数のワイヤレス通信デバイスのうちの別のワイヤレス通信デバイスに割り当て、チャネルボンディングする、ここにおいて、前記表示が、前記第２の仕様に従って前記送信によって占有される前記総帯域幅の前記一部を割り当てない、
前記複数のワイヤレス通信デバイスに前記表示を送信することとを備える、方法。
【請求項２】
前記第１の仕様が電気電子技術者協会（ＩＥＥＥ）８０２．１１ａｘ仕様を備え、前記第２の仕様が異なるＩＥＥＥ８０２．１１仕様を備える、請求項１に記載の方法。
【請求項３】
前記複数のトーンを前記論理的に分割することが、物理的２０ＭＨｚおよび／または４０ＭＨｚ境界を維持するのに十分なガードトーンを割り当てることを備える、請求項１に記載の方法。
【請求項４】
前記複数のトーンを前記論理的に分割することが、２０ＭＨｚおよび／または４０ＭＨｚ境界において１１個の直流トーンまたはガードトーンを割り当てることを備える、請求項１に記載の方法。
【請求項５】
前記複数の使用可能なトーンを前記論理的に分割することが、物理的２０ＭＨｚおよび／または４０ＭＨｚ境界を維持するリソースユニットを割り当てることを備える、請求項１に記載の方法。
【請求項６】
前記複数の直流トーンが、８０ＭＨｚ送信において直流トーンとして割り振られたトーンを含み、グループ内の前記トーンが、トーンインデックス−２５６またはトーンインデックス２５６のうちの１つを中心とする、請求項１に記載の方法。
【請求項７】
前記センターブロック、前記左センターブロック、および前記右センターブロックのうちの１つまたは複数からの前記トーンがチャネル制御のために使用される、請求項１に記載の方法。
【請求項８】
ワイヤレス通信のための装置であって、
第１の仕様に従ってメッセージの送信のための総帯域幅を決定することと、前記総帯域幅が複数のトーンを備える、ここにおいて、前記総帯域幅の一部が、前記第１の仕様とは異なる第２の仕様に従う送信によって占有される、
前記第２の仕様に従って、少なくとも１つの物理的境界を維持するトーンプランを形成するために、前記複数のトーンを、複数の使用可能なトーンと、複数のガードトーンと、複数の直流トーンとの間で論理的に分割することと、
前記複数の使用可能なトーンを複数のリソースユニットと、センターブロック、左センターブロック、および右センターブロックのうちの１つまたは複数との間で論理的に分割することと、ここにおいて、前記センターブロック、前記左センターブロック、および前記右センターブロックのうちの前記１つまたは複数のうちの少なくとも１つに割り振られた前記複数の使用可能なトーンからのトーンは、前記少なくとも１つの物理的境界の両側に位置する、
表示を決定することと、前記表示が、前記複数のリソースユニットのうちの少なくとも２つを複数のワイヤレス通信デバイスのうちの１つのワイヤレス通信デバイスに割り当て、チャネルボンディングし、前記センターブロック、前記左センターブロック、および前記右センターブロックのうちの１つの少なくとも一部を前記複数のワイヤレス通信デバイスのうちの別のワイヤレス通信デバイスに割り当て、チャネルボンディングする、ここにおいて、前記表示が、前記第２の仕様に従って前記送信によって占有される前記総帯域幅の前記一部を割り当てない
を行うように構成された処理システムと、
前記複数のワイヤレス通信デバイスに前記表示を送信するように構成された送信機とを備える、装置。
【請求項９】
前記第１の仕様が米国電気電子技術者協会（ＩＥＥＥ）８０２．１１ａｘ仕様を備え、前記第２の仕様が異なるＩＥＥＥ８０２．１１仕様を備える、請求項８に記載の装置。
【請求項１０】
前記処理システムが、物理的２０ＭＨｚおよび／または４０ＭＨｚ境界を維持するのに十分なガードトーンを割り当てることによって、前記複数のトーンを論理的に分割するように構成される、請求項８に記載の装置。
【請求項１１】
前記処理システムが、２０ＭＨｚおよび／または４０ＭＨｚ境界において１１個の直流トーンまたはガードトーンを割り当てることによって、前記複数のトーンを論理的に分割するように構成される、請求項８に記載の装置。
【請求項１２】
前記処理システムが、物理的２０ＭＨｚおよび／または４０ＭＨｚ境界を維持するリソースユニットを割り当てることによって、前記複数の使用可能なトーンを論理的に分割するように構成される、請求項８に記載の装置。
【請求項１３】
前記複数の直流トーンが、８０ＭＨｚ送信において直流トーンとして割り振られたトーンを含み、グループ内の前記トーンが、トーンインデックス−２５６またはトーンインデックス２５６のうちの１つを中心とする、請求項８に記載の装置。
【請求項１４】
前記センターブロック、前記左センターブロック、および前記右センターブロックのうちの１つまたは複数からの前記トーンがチャネル制御のために使用される、請求項８に記載の装置。
【請求項１５】
ワイヤレス通信のための装置であって、
第１の仕様に従ってメッセージの送信のための総帯域幅を決定するための手段と、前記総帯域幅が複数のトーンを備える、ここにおいて、前記総帯域幅の一部が、前記第１の仕様とは異なる第２の仕様に従う送信によって占有される、
前記第２の仕様に従って、少なくとも１つの物理的境界を維持するトーンプランを形成するために、前記複数のトーンを、複数の使用可能なトーンと、複数のガードトーンと、複数の直流トーンとの間で論理的に分割するための手段と、
前記複数の使用可能なトーンを複数のリソースユニットと、センターブロック、左センターブロック、および右センターブロックのうちの１つまたは複数との間で論理的に分割するための手段と、ここにおいて、前記センターブロック、前記左センターブロック、および前記右センターブロックのうちの前記１つまたは複数のうちの少なくとも１つに割り振られた前記複数の使用可能なトーンからのトーンは、前記少なくとも１つの物理的境界の両側に位置する、
表示を決定するための手段と、前記表示が、前記複数のリソースユニットのうちの少なくとも２つを複数のワイヤレス通信デバイスのうちの１つのワイヤレス通信デバイスに割り当て、チャネルボンディングし、前記センターブロック、前記左センターブロック、および前記右センターブロックのうちの１つの少なくとも一部を前記複数のワイヤレス通信デバイスのうちの別のワイヤレス通信デバイスに割り当て、チャネルボンディングする、ここにおいて、前記表示が、前記第２の仕様に従って前記送信によって占有される前記総帯域幅の前記一部を割り当てない、
前記複数のワイヤレス通信デバイスに前記表示を送信するための手段とを備える、装置。
【請求項１６】
前記第１の仕様が米国電気電子技術者協会（ＩＥＥＥ）８０２．１１ａｘ仕様を備え、前記第２の仕様が異なるＩＥＥＥ８０２．１１仕様を備える、請求項１５に記載の装置。
【請求項１７】
前記複数のトーンを論理的に分割するための手段が、物理的２０ＭＨｚおよび／または４０ＭＨｚ境界を維持するのに十分なガードトーンを割り当てるための手段を備える、請求項１５に記載の装置。
【請求項１８】
前記複数のトーンを論理的に分割するための手段が、２０ＭＨｚおよび／または４０ＭＨｚ境界において１１個の直流トーンまたはガードトーンを割り当てるための手段を備える、請求項１５に記載の装置。
【請求項１９】
前記複数の使用可能なトーンを論理的に分割するための手段が、物理的２０ＭＨｚおよび／または４０ＭＨｚ境界を維持するリソースユニットを割り当てるための手段を備える、請求項１５に記載の装置。
【請求項２０】
前記複数の直流トーンが、８０ＭＨｚ送信において直流トーンとして割り振られたトーンを含み、グループ内の前記トーンが、トーンインデックス−２５６またはトーンインデックス２５６のうちの１つを中心とする、請求項１５に記載の装置。
【請求項２１】
前記センターブロック、前記左センターブロック、および前記右センターブロックのうちの１つまたは複数からの前記トーンがチャネル制御のために使用される、請求項１５に記載の装置。
【請求項２２】
実行されると、装置に、
第１の仕様に従ってメッセージの送信のための総帯域幅を決定することと、前記総帯域幅が複数のトーンを備える、ここにおいて、前記総帯域幅の一部が、前記第１の仕様とは異なる第２の仕様に従う送信によって占有される、
前記第２の仕様に従って、少なくとも１つの物理的境界を維持するトーンプランを形成するために、前記複数のトーンを、複数の使用可能なトーンと、複数のガードトーンと、複数の直流トーンとの間で論理的に分割することと、
前記複数の使用可能なトーンを複数のリソースユニットと、センターブロック、左センターブロック、および右センターブロックのうちの１つまたは複数との間で論理的に分割することと、ここにおいて、前記センターブロック、前記左センターブロック、および前記右センターブロックのうちの前記１つまたは複数のうちの少なくとも１つに割り振られた前記複数の使用可能なトーンからのトーンは、前記少なくとも１つの物理的境界の両側に位置する、
表示を決定することと、前記表示が、前記複数のリソースユニットのうちの少なくとも２つを複数のワイヤレス通信デバイスのうちの１つのワイヤレス通信デバイスに割り当て、チャネルボンディングし、前記センターブロック、前記左センターブロック、および前記右センターブロックのうちの１つの少なくとも一部を前記複数のワイヤレス通信デバイスのうちの別のワイヤレス通信デバイスに割り当て、チャネルボンディングする、ここにおいて、前記表示が、前記第２の仕様に従って前記送信によって占有される前記総帯域幅の前記一部を割り当てない、
前記複数のワイヤレス通信デバイスに前記表示を送信することとを行わせるコードを備えた、非一時的コンピュータ可読記録媒体。
【請求項２３】
前記第１の仕様が米国電気電子技術者協会（ＩＥＥＥ）８０２．１１ａｘ仕様を備え、前記第２の仕様が異なるＩＥＥＥ８０２．１１仕様を備える、請求項２２に記載の記録媒体。
【請求項２４】
前記複数のトーンを前記論理的に分割することが、物理的２０ＭＨｚおよび／または４０ＭＨｚ境界を維持するのに十分なガードトーンを割り当てることを備える、請求項２２に記載の記録媒体。
【請求項２５】
前記複数のトーンを前記論理的に分割することが、２０ＭＨｚおよび／または４０ＭＨｚ境界において１１個の直流トーンまたはガードトーンを割り当てることを備える、請求項２２に記載の記録媒体。
【請求項２６】
前記複数の使用可能なトーンを前記論理的に分割することが、物理的２０ＭＨｚおよび／または４０ＭＨｚ境界を維持するリソースユニットを割り当てることを備える、請求項２２に記載の記録媒体。
【請求項２７】
前記複数の直流トーンが、８０ＭＨｚ送信において直流トーンとして割り振られたトーンを含み、グループ内の前記トーンが、トーンインデックス−２５６またはトーンインデックス２５６のうちの１つを中心とする、請求項２２に記載の記録媒体。
【請求項２８】
前記センターブロック、前記左センターブロック、および前記右センターブロックのうちの１つまたは複数からの前記トーンがチャネル制御のために使用される、請求項２２に記載の記録媒体。
【発明の詳細な説明】
【技術分野】
【０００１】
[0001]本開示のいくつかの態様は、一般にワイヤレス通信に関し、より詳細には、様々なトーンプランに従ってメッセージを与えるための方法および装置に関する。
【背景技術】
【０００２】
[0002]多くの電気通信システムでは、いくつかの対話している空間的に離れたデバイス間でメッセージを交換するために通信ネットワークが使用される。ネットワークは、たとえば、メトロポリタンエリア、ローカルエリア、またはパーソナルエリアであり得る、地理的範囲に従って分類され得る。そのようなネットワークはそれぞれ、ワイドエリアネットワーク（ＷＡＮ）、メトロポリタンエリアネットワーク（ＭＡＮ）、ローカルエリアネットワーク（ＬＡＮ）、またはパーソナルエリアネットワーク（ＰＡＮ）に指定され得る。ネットワークはまた、様々なネットワークノードとデバイスとを相互接続するために使用されるスイッチング／ルーティング技法（たとえば、回線交換対パケット交換）、送信のために採用される物理媒体のタイプ（たとえば、ワイヤード対ワイヤレス）、および使用される通信プロトコルのセット（たとえば、インターネットプロトコルスイート、ＳＯＮＥＴ（同期光ネットワーキング：Synchronous Optical Networking）、イーサネット（登録商標）など）によって異なる。
【０００３】
[0003]ワイヤレスネットワークは、ネットワーク要素がモバイルであり、したがって、動的な接続を必要とするとき、またはネットワークアーキテクチャが固定されたトポロジではなくアドホックなトポロジで形成される場合に好ましいことが多い。ワイヤレスネットワークは、無線、マイクロ波、赤外線、光などの周波数帯域中の電磁波を使用する非誘導伝搬モードで無形物理媒体を採用する。ワイヤレスネットワークは、有利なことに、固定されたワイヤードネットワークと比較すると、ユーザモビリティと迅速なフィールド展開とを容易にする。
【０００４】
[0004]ワイヤレスネットワーク中のデバイスは、互いの間で情報を送信／受信することができる。デバイス送信は互いに干渉することがあり、いくつかの送信は他の送信を選択的に阻止することがある。多くのデバイスが通信ネットワークを共有する場合、輻輳および非効率的なリンク使用が生じることがある。したがって、ワイヤレスネットワークにおける通信効率を改善するためのシステム、方法、および非一時的コンピュータ可読媒体が必要である。
【発明の概要】
【０００５】
[0005]添付の特許請求の範囲内のシステム、方法、およびデバイスの様々な実装形態は、それぞれいくつかの態様を有し、それらのうちのいずれの単一の態様も、単独では本明細書で説明する望ましい属性を担わない。添付の特許請求の範囲を限定することなしに、いくつかの顕著な特徴について本明細書で説明する。
【０００６】
[0006]本明細書で説明する主題の１つまたは複数の実装形態の詳細を添付の図面および以下の説明に記載する。他の特徴、態様、および利点は、説明、図面、および特許請求の範囲から明らかになるであろう。なお、次の図面の相対寸法は、一定の比率で描かれていないこともあることに留意されたい。
【０００７】
[0007]本開示の一態様は、ワイヤレス通信ネットワークを介して通信する方法を提供する。この方法は、第１の仕様に従ってメッセージの送信のための総帯域幅を決定すること、総帯域幅が複数のトーンを備える、を含む。総帯域幅の部分は、第１の仕様とは異なる第２の仕様に従う送信によって占有される。この方法は、第２の仕様に従って、少なくとも１つの物理的境界を維持するトーンを形成するために、複数のトーンを、複数の使用可能なトーンに、ならびに複数のガードトーンおよび複数の直流トーンに論理的に分割することと、複数の使用可能なトーンを複数のリソースユニットに論理的に分割することと、表示を決定することと、表示が、複数のリソースユニットのうちの少なくとも２つを複数のワイヤレス通信デバイスのうちのワイヤレス通信デバイスに割り当て、チャネルチャネルボンディングする、をさらに含む。この表示は、第２の仕様に従う送信によって占有される総帯域幅の部分を割り当てない。この方法は、複数のワイヤレス通信デバイスに表示を送信することをさらに含む。
【０００８】
[0008]様々な実施形態では、第１の仕様は米国電気電子技術者協会（ＩＥＥＥ）８０２．１１ａｘ仕様を含んでよく、第２の仕様は異なるＩＥＥＥ８０２．１１仕様を含んでよい。様々な実施形態では、複数のトーンを論理的に分割することは、物理的２０ＭＨｚおよび／または４０ＭＨｚ境界を維持するのに十分なトーンを割り当てることを含み得る。様々な実施形態では、複数のトーンを論理的に分割することは、２０ＭＨｚおよび／または４０ＭＨｚ境界において１１個の直流トーンまたはガードトーンを割り当てることを含み得る。様々な実施形態では、複数の使用可能なトーンを論理的に分割することは、物理的２０ＭＨｚおよび／または４０ＭＨｚ境界を維持するリソースユニットを割り当てることを含み得る。
【０００９】
[0009]いくつかの態様では、複数の直流トーンは、８０ＭＨｚ送信において直流トーンとして割り振られたトーンを含んでよく、グループ内のトーンは、トーンインデックス−２５６またはトーンインデックス２５６のうちの１つを中心とする。複数の使用可能なトーンを複数のリソースユニットに論理的に分割することは、いずれのリソースユニット内にもない複数のトーン内のトーンの個数をセンターブロック、左センターブロック、および右センターブロックのうちの１つまたは複数に割り振ることを含み得る。表示は、センターブロック、左センターブロック、および右センターブロックのうちの１つの少なくとも一部を複数のワイヤレス通信デバイスのうちのそのワイヤレス通信デバイスにさらに割り当てることができる。センターブロック、左センターブロック、および右センターブロックのうちの１つまたは複数からのトーンはチャネル制御のために使用され得る。
【００１０】
[0010]いくつかの態様では、総帯域幅は２０ＭＨｚであってよく、複数のガードトーンは１１個のトーンを備えてよく、複数の直流トーンは１１個のトーンを備えてよく、ここにおいて、複数の使用可能なトーンを論理的に分割することは、複数の使用可能なトーンを８個のリソースユニットに論理的に分割することと、各リソースユニットが２６個のトーンを有する、リソース内にない複数のトーン内の２６個のトーンをセンターブロックに割り振ることと、を含み得る。いくつかの態様では、総帯域幅は２０ＭＨｚであってよく、複数のガードトーンは１１個のトーンを含んでよく、複数の直流トーンは７個のトーンを含んでよく、ここにおいて、複数の使用可能なトーンを論理的に分割することが、複数の使用可能なトーンを４個のリソースユニットに論理的に分割することと、各リソースユニットが５６個のトーンを有する、リソース内にない複数のトーン内の１４個のトーンをセンターブロックに割り振ることと、を含み得る。いくつかの態様では、総帯域幅は２０ＭＨｚであってよく、複数のガードトーンは１１個または９個のトーンを含んでよく、複数の直流トーンは３個または５個のトーンを含んでよく、複数の使用可能なトーンを論理的に分割することは、複数の使用可能なトーンを２個のリソースユニットに論理的に分割することと、各リソースユニットが１１４個のトーンを有する、いずれのリソース内にもない複数のトーン内の１４個のトーンをセンターブロックに割り振ることと、を含み得る。
【００１１】
[0011]いくつかの態様では、総帯域幅は４０ＭＨｚであってよく、複数のガードトーンは１５個のトーンを含んでよく、複数の直流トーンは１１個のトーンを含んでよく、ここにおいて、複数の使用可能なトーンを論理的に分割することは、複数の使用可能なトーンを１６個のリソースユニットに論理的に分割することと、各リソースユニットが２６個のトーンを有する、いずれのリソース内にもない複数のトーン内の７０個のトーンをセンターブロックに割り振ることと、を含み得る。いくつかの態様では、総帯域幅は４０ＭＨｚであってよく、複数のガードトーンは１９個または１７個または１５個のトーンを含んでよく、複数の直流トーンは１１個または１３個または１５個のトーンを含んでよく、ここにおいて、複数の使用可能なトーンを論理的に分割することは、複数の使用可能なトーンを１８個のリソースユニットに論理的に分割することと、各リソースユニットが２６個のトーンを有する、いずれのリソース内にもない複数のトーン内の１４個のトーンをセンターブロックに割り振ることと、を含み得る。いくつかの態様では、総帯域幅は４０ＭＨｚであってよく、複数のガードトーンは１１個のトーンを含んでよく、複数の直流トーンは１１個のトーンを含んでよく、ここにおいて、複数の使用可能なトーンを論理的に分割することは、複数の使用可能なトーンを８個のリソースユニットに論理的に分割することと、各リソースユニットが５６個のトーンを有する、いずれのリソース内にもない複数のトーン内の４２個のトーンをセンターブロックに割り振ることと、を含み得る。
【００１２】
[0012]いくつかの態様では、総帯域幅は４０ＭＨｚであってよく、複数のガードトーンは１７個のトーンを含んでよく、複数の直流トーンは１１個のトーンを含んでよく、ここにおいて、複数の使用可能なトーンを論理的に分割することは、複数の使用可能なトーンを４のリソースユニットに論理的に分割することと、各リソースユニットが１１４個のトーンを有し、いずれのリソース内にもない複数のトーン内の２８個のトーンをセンターブロックに割り振ることと、を含み得る。いくつかの態様では、総帯域幅は４０ＭＨｚであってよく、複数のガードトーンは１７個のトーンを含んでよく、複数の直流トーンは１１個のトーンを含んでよく、ここにおいて、複数の使用可能なトーンを論理的に分割することは、複数の使用可能なトーンを２個のリソースユニットに論理的に分割すること、各リソースユニットが２４２個のトーンを有する、を含み得る。いくつかの態様では、総帯域幅は８０ＭＨｚであってよく、複数のガードトーンは１１個のトーンを含んでよく、複数の直流トーンは１１個のトーンを含んでよく、ここにおいて、複数の使用可能なトーンを論理的に分割することは、複数の使用可能なトーンを３２個のリソースユニットに論理的に分割することと、各リソースユニットが２６個のトーンを有する、いずれのリソース内にもない複数のトーン内の１７０個のトーンをセンターブロックに割り振ることと、を含み得る。いくつかの態様では、総帯域幅は８０ＭＨｚであってよく、複数のガードトーンは１１個のトーンを含んでよく、複数の直流トーンは１１個のトーンを含んでよく、ここにいて、複数の使用可能なトーンを論理的に分割することは、複数の使用可能なトーンを３８個のリソースユニットに論理的に分割することと、各リソースユニットが２６個のトーンを有する、いずれのリソース内にもない複数のトーン内の１４個のトーンをセンターブロックに割り振ることと、を含み得る。
【００１３】
[0013]いくつかの態様では、総帯域幅は８０ＭＨｚであってよく、複数のガードトーンは１５個または１４個のトーンを含んでよく、複数の直流トーンは１５個または１４個のトーンを含んでよく、１１個のトーンはトーンインデックス−２５６の周囲に位置し、１１個のトーンがトーンインデックス２５６の周囲に位置し、ここにおいて、複数の使用可能なトーンを論理的に分割することは、複数の使用可能なトーンを３２個のリソースユニットに論理的に分割することと、各リソースユニットが２６個のトーンを有する、いずれのリソース内にもない複数のトーン内の７０個または７１個のトーンを左センターブロックに割り振り、いずれのリソース内にもない複数のトーン内の７０個または７１個のトーンを右センターブロックに割り振ることと、を含み得る。いくつかの態様では、総帯域幅は８０ＭＨｚであってよく、複数のガードトーンは１１個のトーンを含んでよく、複数の直流トーンは１１個の直流トーンを含んでよく、１５個または１４個のトーンがトーンインデックス−２５６の周囲に位置し、１５個または１４個のトーンがトーンインデックス２５６の周囲に位置し、ここにおいて、複数の使用可能なトーンを論理的に分割することは、複数の使用可能なトーンを３２個のリソースユニットに論理的に分割することと、各リソースユニットが２６個のトーンを有し、いずれのリソース内もにない複数のトーン内の７０個または７１個のトーンを左センターブロックに割り振り、いずれのリソース内にもない複数のトーン内の７０個または７１個のトーンを右センターブロックに割り振ることと、を含み得る。いくつかの態様では、総帯域幅は８０ＭＨｚであってよく、複数のガードトーンは１３個のトーンを含んでよく、複数の直流トーンは１１個のトーンを含んでよく、１１個のトーンがトーンインデックス−２５６の周囲に位置し、１１個のトーンがトーンインデックス２５６の周囲に位置し、ここにおいて、複数の使用可能なトーンを論理的に分割することは、複数の使用可能なトーンを３６個のリソースユニットに論理的に分割することと、各リソースユニットが２６個のトーンを有する、いずれのリソース内にもない複数のトーン内の２１個のトーンを左センターブロックに割り振り、いずれのリソース内にもない複数のトーン内の２１個のトーンを右センターブロックに割り振ることと、を含み得る。
【００１４】
[0014]いくつかの態様では、総帯域幅は８０ＭＨｚであってよく、複数のガードトーンは１５個または１３個のトーンを含んでよく、複数の直流トーンは１１個または１３個の直流トーンを含んでよく、１１個のトーンがトーンインデックス−２５６の周囲に位置し、１１個のトーンがトーンインデックス２５６の周囲に位置し、ここにおいて、複数の使用可能なトーンを論理的に分割することは、複数の使用可能なトーンを３６個のリソースユニットに論理的に分割することと、各リソースユニットが２６個のトーンを有する、いずれのリソース内にもない複数のトーン内の２０個のトーンを左センターブロックに割り振り、いずれのリソース内にもない複数のトーン内の２０個のトーンを右センターブロックに割り振ることと、を含み得る。いくつかの態様では、総帯域幅は８０ＭＨｚであってよく、複数のガードトーンは１５個のトーンを含んでよく、複数の直流トーンは１５個のトーンを含んでよく、１５個のトーンがトーンインデックス−２５６の周囲に位置し、１５個のトーンがトーンインデックス２５６の周囲に位置し、ここにおいて、複数の使用可能なトーンを論理的に分割することは、複数の使用可能なトーンを３６個のリソースユニットに論理的に分割することと、各リソースユニットが２６個のトーンを有する、いずれのリソース内にもない複数のトーン内の１４個のトーンを左センターブロックに割り振り、いずれのリソース内にもない複数のトーン内の１４個のトーンを右センターブロックに割り振ることと、を含み得る。いくつかの態様では、総帯域幅は８０ＭＨｚであってよく、複数のガードトーンは１５個のトーンを含んでよく、複数の直流トーンは１４個の直流トーンを含んでよく、１１個のトーンがトーンインデックス−２５６の周囲またはトーンインデックス２５６の周囲に位置し、ここにおいて、複数の使用可能なトーンを論理的に分割することは、複数の使用可能なトーンを３２個のリソースユニットに論理的に分割することと、各リソースユニットが２６個のトーンを有する、いずれのリソース内にもない複数のトーン内の７０個または８２個のトーンを左センターブロックに割り振り、いずれのリソース内にもない複数のトーン内の８２個または７０個のトーンを右センターブロックに割り振ることと、を含み得る。
【００１５】
[0015]いくつかの態様では、総帯域幅は８０ＭＨｚであってよく、複数のガードトーンは１２個のトーンを含んでよく、複数の直流トーンは１１個の直流トーンを含んでよく、１１個のトーンがトーンインデックス−２５６の周囲またはトーンインデックス２５６の周囲に位置し、ここにおいて、複数の使用可能なトーンを論理的に分割することは、複数の使用可能なトーンを３７個のリソースユニットに論理的に分割することと、各リソースユニットが２６個のトーンを有する、いずれのリソース内にもない複数のトーン内の２１個または７個のトーンを左センターブロックに割り振り、いずれのリソース内にもない複数のトーン内の７個または２１個のトーンを右センターブロックに割り振ることと、を含み得る。いくつかの態様では、総帯域幅は８０ＭＨｚであってよく、複数のガードトーンは１２個のトーンを含んでよく、複数の直流トーンは１２個の直流トーンを含んでよく、１２個のトーンがトーンインデックス−２５６の周囲またはトーンインデックス２５６の周囲に位置し、ここにおいて、複数の使用可能なトーンを論理的に分割することは、複数の使用可能なトーンを３７個のリソースユニットに論理的に分割することと、各リソースユニットが２６個のトーンを有する、いずれのリソース内にもない複数のトーン内の２０個または６個のトーンを左センターブロックに割り振り、いずれのリソース内にもない複数のトーン内の６個または２０個のトーンを右センターブロックに割り振ることと、を含み得る。いくつかの態様では、総帯域幅は８０ＭＨｚであってよく、複数のガードトーンは１２個のトーンを含んでよく、複数の直流トーンは１２個の直流トーンを含んでよく、１２個のトーンがトーンインデックス−２５６の周囲またはトーンインデックス２５６の周囲に位置し、ここにおいて、複数の使用可能なトーンを論理的に分割することは、複数の使用可能なトーンを３６個のリソースユニットに論理的に分割することと、各リソースユニットが２６個のトーンを有する、いずれのリソース内にもない複数のトーン内の２０個または３２個のトーンを左センターブロックに割り振り、いずれのリソース内にもない複数のトーン内の３２個または２０個のトーンを右センターブロックに割り振ることと、を含み得る。
【００１６】
[0016]いくつかの態様では、総帯域幅は８０ＭＨｚであってよく、複数のガードトーンは１３個または１１個のトーンを含んでよく、複数の直流トーンは１１個または１３個の直流トーンを含んでよく、ここにおいて、複数の使用可能なトーンを論理的に分割することは、複数の使用可能なトーンを１６個のリソースユニットに論理的に分割することと、各リソースユニットが５６個のトーンを有する、いずれのリソース内にもない複数のトーン内の１０４個のトーンをセンターブロックに割り振ることと、を含み得る。いくつかの態様では、総帯域幅は８０ＭＨｚであってよく、複数のガードトーンは１５個のトーンを含んでよく、複数の直流トーンは１５個の直流トーンを含んでよく、ここにおいて、複数の使用可能なトーンを論理的に分割することは、複数の使用可能なトーンを１６個のリソースユニットに論理的に分割することと、各リソースユニットが５６個のトーンを有する、いずれのリソース内にもない複数のトーン内の９８個のトーンをセンターブロックに割り振ることと、を含み得る。いくつかの態様では、総帯域幅は８０ＭＨｚであってよく、複数のガードトーンは１１個のトーンを含んでよく、複数の直流トーンは１１個のトーンを含んでよく、１１個のトーンがトーンインデックス−２５６の周囲に位置し、１１個のトーンがトーンインデックス２５６の周囲に位置し、ここにおいて、複数の使用可能なトーンを論理的に分割することは、複数の使用可能なトーンを１６個のリソースユニットに論理的に分割することと、各リソースユニットが５６個のトーンを有する、いずれのリソース内にもない複数のトーン内の４２個のトーンを左センターブロックに割り振り、いずれのリソース内にもない複数のトーン内の４２個のトーンを右センターブロックに割り振ることと、を含み得る。
【００１７】
[0017]いくつかの態様では、総帯域幅は８０ＭＨｚであってよく、複数のガードトーンは１３個または１１個のトーンを含んでよく、複数の直流トーンは１１個の直流トーンを含んでよく、１１個のトーンがトーンインデックス−２５６の周囲に位置し、１１個のトーンがトーンインデックス２５６の周囲に位置し、ここにおいて、複数の使用可能なトーンを論理的に分割することは、複数の使用可能なトーンを１６個のリソースユニットに論理的に分割することと、各リソースユニットが５６個のトーンを有する、いずれのリソース内にもない複数のトーン内の４１個のトーンを左センターブロックに割り振り、いずれのリソース内にもない複数のトーン内の４１個のトーンを右センターブロックに割り振ることと、を含み得る。いくつかの態様では、総帯域幅は８０ＭＨｚであってよく、複数のガードトーンは１２個のトーンを含んでよく、複数の直流トーンは１１個の直流トーンを含んでよく、１１個のトーンがトーンインデックス−２５６の周囲またはトーンインデックス２５６の周囲に位置し、ここにおいて、複数の使用可能なトーンを論理的に分割することは、複数の使用可能なトーンを１６個のリソースユニットに論理的に分割することと、各リソースユニットが５６個のトーンを有する、いずれのリソース内にもない複数のトーン内の４２個または５２個のトーンを左センターブロックに割り振り、いずれのリソース内にもない複数のトーン内の５２個または４２個のトーンを右センターブロックに割り振ることと、を含み得る。
【００１８】
[0018]いくつかの態様では、総帯域幅は８０ＭＨｚであってよく、複数のガードトーンは１３個のトーンを含んでよく、複数の直流トーンは１２個の直流トーンを含んでよく、１１個のトーンがトーンインデックス−２５６周囲またはトーンインデックス２５６の周囲に位置し、ここにおいて、複数の使用可能なトーンを論理的に分割することは、複数の使用可能なトーンを１６個のリソースユニットに論理的に分割することと、各リソースユニットが５６個のトーンを有する、いずれのリソース内にもない複数のトーン内の４１個または４２個または５１個または５０個のトーンを左センターブロックに割り振り、いずれのリソース内にもない複数のトーン内の５１個または５０個または４１個または４２個のトーンを右センターブロックに割り振ることと、を含み得る。いくつかの態様では、総帯域幅は８０ＭＨｚであってよく、複数のガードトーンは１４個のトーンを含んでよく、複数の直流トーンは１４個の直流トーンを含んでよく、ここにおいて、複数の使用可能なトーンを論理的に分割することは、複数の使用可能なトーンを８個のリソースユニットに論理的に分割することと、各リソースユニットが１１４個のトーンを有する、いずれのリソース内にもない複数のトーン内の８４個のトーンをセンターブロックに割り振ることと、を含み得る。いくつかの態様では、総帯域幅は８０ＭＨｚであってよく、複数のガードトーンは１５個のトーンを含んでよく、複数の直流トーンは１５個の直流トーンを含んでよく、ここにおいて、複数の使用可能なトーンを論理的に分割することは、複数の使用可能なトーンを８個のリソースユニットに論理的に分割することと、各リソースユニットが１１４個のトーンを有する、いずれのリソース内にもない複数のトーン内の８２個のトーンをセンターブロックに割り振ることと、を含み得る。いくつかの態様では、総帯域幅は８０ＭＨｚであってよく、複数のガードトーンは１３個または１１個のトーンを含んでよく、複数の直流トーンは１１個または１３個の直流トーンを含んでよく、１１個のトーンがトーンインデックス−２５６の周囲に位置し、１１個のトーンがトーンインデックス２５６の周囲に位置し、ここにおいて、複数の使用可能なトーンを論理的に分割することは、複数の使用可能なトーンを８個のリソースユニットに論理的に分割することと、各リソースユニットが１１４個のトーンを有する、いずれのリソース内にもない複数のトーン内の３３個のトーンを左センターブロックに割り振り、いずれのリソース内にもない複数のトーン内の３３個のトーンを右センターブロックに割り振ることと、を含み得る。いくつかの態様では、総帯域幅は８０ＭＨｚであってよく、複数のガードトーンは１４個または１７個のトーンを含んでよく、複数の直流トーンは１４個または１３個の直流トーンを含んでよく、１４個または１３個のトーンがトーンインデックス−２５６の周囲に位置し、１４個または１３個のトーンがトーンインデックス２５６の周囲に位置し、ここにおいて、複数の使用可能なトーンを論理的に分割することは、複数の使用可能なトーンを８個のリソースユニットに論理的に分割することと、各リソースユニットが１１４個のトーンを有する、いずれのリソース内にもない複数のトーン内の２８個のトーンを左センターブロックに割り振り、いずれのリソース内にもない複数のトーン内の２８個のトーンを右センターブロックに割り振ることと、を含み得る。
【００１９】
[0019]いくつかの態様では、総帯域幅は８０ＭＨｚであってよく、複数のガードトーンは１２個のトーンを含んでよく、複数の直流トーンは１１個の直流トーンを含んでよく、１１個のトーンがトーンインデックス−２５６の周囲またはトーンインデックス２５６の周囲に位置し、ここにおいて、複数の使用可能なトーンを論理的に分割することは、複数の使用可能なトーン８個のリソースユニットに論理的に分割することと、各リソースユニットが１１４個のトーンを有する、いずれのリソース内にもない複数のトーン内の３４個または４４個のトーンを左センターブロックに割り振り、いずれのリソース内にもない複数のトーン内の４４個または３４個のトーンを右センターブロックに割り振ることと、を含み得る。いくつかの態様では、総帯域幅は８０ＭＨｚであってよく、複数のガードトーンは１４個のトーンを含んでよく、複数の直流トーンは１４個の直流トーンを含んでよく、ここにおいて、複数の使用可能なトーンを論理的に分割することは、複数の使用可能なトーンを４個のリソースユニットに論理的に分割すること、各リソースユニットが２４２個のトーンを有する、いずれのリソース内にもない複数のトーン内の２８個のトーンをセンターブロックに割り振ることと、を含み得る。いくつかの態様では、総帯域幅は８０ＭＨｚであってよく、複数のガードトーンは１５個のトーンを含んでよく、複数の直流トーンは１５個の直流トーンを含んでよく、ここにおいて、複数の使用可能なトーンを論理的に分割することは、複数の使用可能なトーンを４個のリソースユニットに論理的に分割することと、各リソースユニットが２４２個のトーンを有する、いずれのリソース内にもない複数のトーン内の２６個のトーンをセンターブロックに割り振ることと、を含み得る。いくつかの態様では、総帯域幅は８０ＭＨｚであってよく、複数のガードトーンは１４個のトーンを含んでよく、複数の直流トーンは１４個の直流トーンを含んでよく、１４個のトーンがトーンインデックス−２５６の周囲に位置し、１４個のトーンがトーンインデックス２５６の周囲に位置し、ここにおいて、複数の使用可能なトーンを論理的に分割することは、複数の使用可能なトーンを４個のリソースユニットに論理的に分割すること、各リソースユニットが２４２個のトーンを有する、を含み得る。いくつかの態様では、総帯域幅は８０ＭＨｚであってよく、複数のガードトーンは１１個のトーンを含んでよく、複数の直流トーンは９個の直流トーンを含んでよく、１１個のトーンがトーンインデックス−２５６の周囲に位置し、１１個のトーンがトーンインデックス２５６の周囲に位置し、ここにおいて、複数の使用可能なトーンを論理的に分割することは、複数の使用可能なトーンを４個のリソースユニットに論理的に分割することと、各リソースユニットが２４２個のトーンを有する、いずれのリソース内にもない複数のトーン内の７個のトーンを左センターブロックに割り振り、いずれのリソース内にもない複数のトーン内の７個のトーンを右センターブロックに割り振ることと、を含み得る。
【００２０】
[0020]いくつかの態様では、総帯域幅は８０ＭＨｚであってよく、複数のガードトーンは１４個のトーンを含んでよく、複数の直流トーンは１４個の直流トーンを含んでよく、１４個のトーンがトーンインデックス−２５６の周囲またはトーンインデックス２５６の周囲に位置し、ここにおいて、複数の使用可能なトーンを論理的に分割することは、複数の使用可能なトーン４個のリソースユニットに論理的に分割することと、各リソースユニットが２４２個のトーンを有する、いずれのリソース内にもない複数のトーン内の１４個のトーンを左センターブロックまたは右センターブロックに割り振ることと、を含み得る。いくつかの態様では、総帯域幅は８０ＭＨｚであってよく、複数のガードトーンは１７個または１５個のトーンを含んでよく、複数の直流トーンは１１個または１３個の直流トーンを含んでよく、ここにおいて、複数の使用可能なトーンを論理的に分割することは、複数の使用可能なトーンを２個のリソースユニットに論理的に分割することと、各リソースユニットが４８４個のトーンを有する、いずれのリソース内にもない複数のトーン内の２８個のトーンをセンターブロックに割り振ることと、を含み得る。いくつかの態様では、総帯域幅は８０ＭＨｚであってよく、複数のガードトーンは１９個または１７個のトーンを含んでよく、複数の直流トーンは１１個または１３個の直流トーンを含んでよく、ここにおいて、複数の使用可能なトーンを論理的に分割することは、複数の使用可能なトーンを２個のリソースユニットに論理的に分割することと、各リソースユニットが４８４個のトーンを有する、いずれのリソース内にもない複数内の２６個のトーンをセンターブロックに割り振ることと、を含み得る。
【００２１】
[0021]本開示の一態様は、第１の仕様によるメッセージの送信のための総帯域幅を決定すること、総帯域幅が複数のトーンを備える、を行うように構成された処理システムを含む、ワイヤレス通信のための装置を提供する。総帯域幅の部分は、第１の仕様とは異なる第２の仕様に従う送信によって占有される。この処理システムは、第２の仕様に従って、少なくとも１つの物理的境界を維持するトーンを形成するために、複数のトーンを、複数の使用可能なトーンに、ならびに複数のガードトーンおよび複数の直流トーンに論理的に分割することと、複数の使用可能なトーンを複数のリソースユニットに論理的に分割することと、表示を決定することと、表示が、複数のリソースユニットのうちの少なくとも２つを複数のワイヤレス通信デバイスのうちのワイヤレス通信デバイスに割り当て、チャネルチャネルボンディングする、を行うようにさらに構成される。この表示は、第２の仕様に従う送信によって占有される総帯域幅の部分を割り当てない。この装置は、複数のワイヤレス通信デバイスに表示を送信するように構成された送信機も含む。
【００２２】
[0022]様々な実施形態では、第１の仕様は米国電気電子技術者協会（ＩＥＥＥ）８０２．１１ａｘ仕様を含んでよく、第２の仕様は異なるＩＥＥＥ８０２．１１仕様を含んでよい。様々な実施形態では、処理システムは、物理的２０ＭＨｚおよび／または４０ＭＨｚ境界を維持するのに十分なガードトーンを割り当てることによって、複数のトーンを論理的に分割するように構成され得る。様々な実施形態では、処理システムは、物理的２０ＭＨｚおよび／または４０ＭＨｚ境界において１１個の直流トーンまたはガードトーンを割り当てることによって、複数のトーンを論理的に分割するように構成され得る。様々な実施形態では、処理システムは、物理的２０ＭＨｚおよび／または４０ＭＨｚ境界を維持するリソースユニットを割り当てることによって、複数の使用可能なトーン備えるを論理的に分割するように構成され得る。
【００２３】
[0023]一態様では、本開示は、第１の仕様に従ってメッセージの送信のための総帯域幅を決定するための手段、総帯域幅が複数のトーンを備える、を含むワイヤレス通信のための装置を提供する。総帯域幅の部分は、第１の仕様とは異なる第２の仕様に従う送信によって占有される。この装置は、第２の仕様に従って、少なくとも１つの物理的境界を維持するトーンを形成するために、複数のトーンを、複数の使用可能なトーンに、ならびに複数のガードトーンおよび複数の直流トーンに論理的に分割するための手段をさらに含む。この装置は、複数の使用可能なトーンを複数のリソースに論理的に分割するための手段と、表示を決定するための手段と、表示が、複数のリソースユニットのうちの少なくとも２つを複数のワイヤレス通信デバイスのうちのワイヤレス通信デバイスに割り当て、チャネルボンディングする、をさらに含む。この表示は、第２の仕様に従う送信によって占有される総帯域幅の部分を割り当てない。この装置は、複数のワイヤレス通信デバイスに表示を送信するための手段をさらに含む。
【００２４】
[0024]様々な実施形態では、第１の仕様は米国電気電子技術者協会（ＩＥＥＥ）８０２．１１ａｘ仕様を含んでよく、第２の仕様は異なるＩＥＥＥ８０２．１１仕様を含んでよい。様々な実施形態では、複数のトーンを論理的に分割するための手段は、物理的２０ＭＨｚおよび／または４０ＭＨｚ境界を維持するのに十分なトーンを割り当てるための手段を含み得る。様々な実施形態では、複数のトーンを論理的に分割するための手段は、２０ＭＨｚおよび／または４０ＭＨｚ境界において１１個の直流トーンまたはガードトーンを割り当てるための手段を含み得る。様々な実施形態では、複数の使用可能なトーンを論理的に分割するための手段は、物理的２０ＭＨｚおよび／または４０ＭＨｚ境界を維持するリソースユニットを割り当てるための手段を含み得る。
【００２５】
[0025]本開示の一態様は、実行されたとき、装置に、第１の仕様に従ってメッセージの送信のための総帯域幅を決定させること、総帯域幅が複数のトーンを備える、を行わせるコードを備えた非一時的コンピュータ可読媒体を提供する。総帯域幅の部分は、第１の仕様とは異なる第２の仕様に従う送信によって占有される。この媒体は、実行されたとき、装置に、第２の仕様に従って、少なくとも１つの物理的境界を維持するトーンを形成するために、複数のトーンを、複数の使用可能なトーンに、ならびに複数のガードトーンおよび複数の直流トーンに論理的に分割することと、複数の使用可能なトーンを複数のリソースユニットに論理的に分割することと、表示を決定することと、表示が、複数のリソースユニットのうちの少なくとも２つを複数のワイヤレス通信デバイスのうちのワイヤレス通信デバイスに割り当て、チャネルチャネルボンディングする、を行わせるコードをさらに含む。この表示は、第２の仕様に従う送信によって占有される総帯域幅の部分を割り当てない。この媒体は、実行されたとき、装置に、複数のワイヤレス通信デバイスに表示を送らせるコードをさらに含む。
【００２６】
[0026]様々な実施形態では、第１の仕様は米国電気電子技術者協会（ＩＥＥＥ）８０２．１１ａｘ仕様を含んでよく、第２の仕様は異なるＩＥＥＥ８０２．１１仕様を含んでよい。様々な実施形態では、複数のトーンを論理的に分割することは、物理的２０ＭＨｚおよび／または４０ＭＨｚ境界を維持するのに十分なガードトーンを割り当てることを含み得る。様々な実施形態では、複数のトーンを論理的に分割することは、２０ＭＨｚおよび／または４０ＭＨｚ境界において１１個の直流トーンまたはガードトーンを割り当てることを含み得る。様々な実施形態では、複数の使用可能なトーンを論理的に分割することは、物理的２０ＭＨｚおよび／または４０ＭＨｚ境界を維持するリソースユニットを割り当てることを含み得る。
【図面の簡単な説明】
【００２７】
【図１】[0027]本開示の態様が採用され得るワイヤレス通信システムの一例を示す図。
【図２】[0028]図１のワイヤレス通信システム内で採用され得るワイヤレスデバイスにおいて利用され得る様々な構成要素を示す図。
【図３】[0029]８０ＭＨｚ送信における左センターブロックおよび右センターブロックのロケーションの図。
【図４】[0030]２０ＭＨｚ送信のために提案される割振りの図。
【図５】[0031]２０ＭＨｚ送信のために提案される別の割振りの図。
【図６】[0032]２０ＭＨｚ送信のために提案される別の割振りの図。
【図７】[0033]４０ＭＨｚ送信のために提案される割振りの図。
【図８】[0034]４０ＭＨｚ送信のために提案される割振りの図。
【図９】[0035]４０ＭＨｚ送信のために提案される割振りの図。
【図１０】[0036]４０ＭＨｚ送信のために提案される割振りの図。
【図１１】[0037]４０ＭＨｚ送信のために提案される割振りの図。
【図１２】[0038]８０ＭＨｚ送信のために提案される割振りの図。
【図１３】[0039]８０ＭＨｚ送信のために提案される別の割振りの図。
【図１４】[0040]８０ＭＨｚ送信のために提案される割振りを示す。
【図１５】[0041]８０ＭＨｚ送信のために提案される別の割振りの図。
【図１６】[0042]８０ＭＨｚ送信のために提案される割振りの図。
【図１７】[0043]８０ＭＨｚ送信のために提案される別の割振りの図。
【図１８】[0044]８０ＭＨｚ送信のために提案される割振りの図。
【図１９】[0045]８０ＭＨｚ送信のために提案される別の割振りの図。
【図２０】[0046]８０ＭＨｚ送信のために提案される割振りの図。
【図２１】[0047]８０ＭＨｚ送信のために提案される別の割振りの図。
【図２２】[0048]８０ＭＨｚ送信のために提案される割振りの図。
【図２３】[0049]８０ＭＨｚ送信のために提案される別の割振りの図。
【図２４】[0050]８０ＭＨｚ送信のために提案される割振りの図。
【図２５】[0051]８０ＭＨｚ送信のために提案される別の割振りの図。
【図２６】[0052]８０ＭＨｚ送信のために提案される割振りの図。
【図２７】[0053]８０ＭＨｚ送信のために提案される別の割振りの図。
【図２８】[0054]８０ＭＨｚ送信のために提案される割振りの図。
【図２９】[0055]８０ＭＨｚ送信のために提案される別の割振りの図。
【図３０】[0056]ワイヤレス通信ネットワークを介した通信の例示的な方法に関するフローチャート。
【発明を実施するための形態】
【００２８】
[0057]添付の図面を参照しながら、新規のシステム、装置、および方法の様々な態様について、以下でより十分に説明する。ただし、教示開示は、多くの異なる形態で実施され得、本開示全体にわたって提示されるいずれかの特定の構造または機能に限定されるものと解釈されるべきではない。むしろ、これらの態様は、本開示が周到で完全になり、本開示の範囲を当業者に十分に伝えるように与えられる。本明細書の教示に基づいて、本開示の範囲は、本発明の他の態様とは無関係に実装されるにせよ、または本開示の他の態様と組み合わせて実装されるにせよ、本明細書で開示する新規のシステム、装置、および方法のいかなる態様をも包含するものであることを、当業者なら諒解されたい。たとえば、本明細書に記載した任意の数の態様を使用して、装置が実装されてよく、または方法が実践されてよい。さらに、本発明の範囲は、本明細書に記載した本発明の様々な態様に加えて、またはそれ以外の、他の構造、機能、または構造および機能を使用して実践されるそのような装置または方法を包含するものとする。本明細書で開示するいかなる態様も請求項の１つまたは複数の要素によって具現化され得ることを理解されたい。
【００２９】
[0058]本明細書では特定の態様が説明されるが、これらの態様の多くの変形形態および置換が本開示の範囲内に入る。好適な態様のいくつかの利益および利点について説明するが、本開示の範囲は、特定の利益、使用、または目的に限定されるものではない。むしろ、本開示の態様は、様々なワイヤレス技術、システム構成、ネットワーク、および伝送プロトコルに広く適用可能なものであり、図において、および好ましい態様の以下の説明において、それらのうちのいくつかが例として示される。発明を実施するための形態および図面は、限定的ではなく本開示の例示にすぎず、本開示の範囲は、添付の特許請求の範囲およびその均等物によって定義される。
デバイスを実装すること
[0059]ワイヤレスネットワーク技術は、様々なタイプのワイヤレスローカルエリアネットワーク（ＷＬＡＮ）を含むことができる。ＷＬＡＮは、広く使用されているネットワーキングプロトコルを採用して、近くのデバイスを互いに相互接続するために使用され得る。本明細書で説明する様々な態様は、Ｗｉ−Ｆｉ（登録商標）、またはより一般的には、ワイヤレスプロトコルのＩＥＥＥ８０２．１１ファミリーの任意のメンバーなど、任意の通信規格に適用され得る。
【００３０】
[0060]いくつかの態様では、ワイヤレス信号は、直交周波数分割多重（ＯＦＤＭ）、直接シーケンススペクトラム拡散（ＤＳＳＳ：direct-sequence spread spectrum）通信、ＯＦＤＭとＤＳＳＳ通信との組合せ、または他の方式を使用して、高効率８０２．１１プロトコルに従う送信され得る。
【００３１】
[0061]いくつかの実装形態では、ＷＬＡＮは、このワイヤレスネットワークにアクセスする構成要素である様々なデバイスを含む。たとえば、２つのタイプのデバイス、すなわち、アクセスポイント（「ＡＰ」）および（局または「ＳＴＡ」とも呼ばれる）クライアントがあり得る。一般に、ＡＰはＷＬＡＮのためのハブまたは基地局として働き、ＳＴＡはＷＬＡＮのユーザとして働く。たとえば、ＳＴＡはラップトップコンピュータ、携帯情報端末（ＰＤＡ）、モバイルフォンなどであり得る。一例では、ＳＴＡは、ＷｉＦｉ（登録商標）（たとえばＩＥＥＥ８０２．１１プロトコル）準拠ワイヤレスリンクを介してＡＰに接続して、インターネットまたは他の広域ネットワークへの一般接続性を得る。いくつかの実装形態では、ＳＴＡはＡＰとして使用されることもある。
【００３２】
[0062]本明細書で説明する技法は、直交多重化方式に基づく通信システムを含む様々なブロードバンドワイヤレス通信システムのために使用され得る。そのような通信システムの例としては、空間分割多元接続（ＳＤＭＡ）システム、時分割多元接続（ＴＤＭＡ）システム、直交周波数分割多元接続（ＯＦＤＭＡ）システム、シングルキャリア周波数分割多元接続（ＳＣ−ＦＤＭＡ）システムなどがある。ＳＤＭＡシステムは、複数のユーザ端末に属するデータを同時に送信するために十分に異なる方向を利用することができる。ＴＤＭＡシステムは、送信信号を異なるタイムスロットに分割することによって、複数のユーザ端末が同じ周波数チャネルを共有することを可能にすることができ、各タイムスロットは異なるユーザ端末に割り当てられる。ＴＤＭＡシステムは、ＧＳＭ（登録商標）または当技術分野で知られている何らかの他の規格を実装することができる。ＯＦＤＭＡシステムは、全システム帯域幅を複数の直交サブキャリアに区分する変調技法である、直交周波数分割多重化（ＯＦＤＭ）を利用する。これらのサブキャリアは、トーン、ビンなどと呼ばれることもある。ＯＦＤＭでは、各サブキャリアはデータで独立して変調され得る。ＯＦＤＭシステムは、当技術分野で知られているＩＥＥＥ８０２．１１または何らかの他の規格を実装することができる。ＳＣ−ＦＤＭＡシステムは、システム帯域幅にわたって分散されたサブキャリア上で送信するためのインターリーブＦＤＭＡ（ＩＦＤＭＡ）、隣接するサブキャリアの１個のブロック上で送信するための局所ＦＤＭＡ（ＬＦＤＭＡ）、または隣接するサブキャリアの複数のブロック上で送信するための拡張ＦＤＭＡ（ＥＦＤＭＡ）を利用することができる。概して、変調シンボルは、ＯＦＤＭでは周波数領域で、ＳＣ−ＦＤＭＡでは時間領域で送られる。ＳＣ−ＦＤＭＡシステムは、３ＧＰＰ（登録商標）−ＬＴＥ（登録商標）（第３世代パートナーシッププロジェクトロングタームエボリューション（3rd Generation Partnership Project Long Term Evolution））または他の規格を実装することができる。
【００３３】
[0063]本明細書の教示は、様々なワイヤードまたはワイヤレス装置（たとえば、ノード）に組み込まれ得る（たとえば、その装置内で実装されるか、またはその装置によって実行され得る）。いくつかの態様では、本明細書の教示に従って実装されるワイヤレスノードはアクセスポイントまたはアクセス端末を備えることができる。
【００３４】
[0064]アクセスポイント（「ＡＰ」）は、ノードＢ、無線ネットワークコントローラ（「ＲＮＣ」）、ｅノードＢ、基地局コントローラ（「ＢＳＣ」）、基地トランシーバ局（「ＢＴＳ」）、基地局（「ＢＳ」）、トランシーバ機能（「ＴＦ」）、無線ルータ、無線トランシーバ、基本サービスセット（「ＢＳＳ」）、拡張サービスセット（「ＥＳＳ」）、無線基地局（「ＲＢＳ」）、もしくは何らかの他の用語を備えるか、それらのいずれかとして実装されるか、またはそれらのいずれかとして知られていることがある。
【００３５】
[0065]また、局「ＳＴＡ」は、ユーザ端末、アクセス端末（「ＡＴ」）、加入者局、加入者ユニット、移動局、リモート局、リモート端末、ユーザエージェント、ユーザデバイス、ユーザ機器、もしくは何らかの他の用語を備えるか、それらのいずれかとして実装されるか、またはそれらのいずれかとして知られていることがある。いくつかの実装形態では、アクセス端末は、セルラー電話、コードレス電話、セッション開始プロトコル（「ＳＩＰ」）電話、ワイヤレスローカルループ（「ＷＬＬ」）局、携帯情報端末（「ＰＤＡ」）、ワイヤレス接続能力を有するハンドヘルドデバイス、またはワイヤレスモデムに接続された何らかの他の好適な処理デバイスを備えることができる。したがって、本明細書で教示する１つまたは複数の態様は、電話（たとえば、セルラーフォンまたはスマートフォン）、コンピュータ（たとえば、ラップトップ）、ポータブル通信デバイス、ヘッドセット、ポータブルコンピューティングデバイス（たとえば、個人情報端末）、エンターテインメントデバイス（たとえば、音楽もしくはビデオデバイス、または衛星ラジオ）、ゲームデバイスもしくはシステム、全地球測位システムデバイス、またはワイヤレス媒体を介して通信するように構成された他の好適なデバイスに組み込まれ得る。
【００３６】
[0066]図１に、本開示の態様が採用され得るワイヤレス通信システム１００の一例を示す。ワイヤレス通信システム１００は、ワイヤレス規格、たとえば、ＩＥＥＥ８０２．１１規格に従って動作することができる。ワイヤレス通信システム１００は、ＳＴＡ１０６と通信するＡＰ１０４を含むことができる。
【００３７】
[0067]様々なプロセスおよび方法は、ＡＰ１０４とＳＴＡ１０６との間の、ワイヤレス通信システム１００における送信に使用され得る。たとえば、信号は、ＯＦＤＭ／ＯＦＤＭＡ技法に従って、ＡＰ１０４とＳＴＡ１０６との間で送信および受信され得る。そうである場合、ワイヤレス通信システム１００は、ＯＦＤＭ／ＯＦＤＭＡシステムと呼ばれることがある。代替的に、信号は、符号分割多元接続（ＣＤＭＡ）技法に従って、ＡＰ１０４とＳＴＡ１０６との間で送信および受信され得る。そうである場合、ワイヤレス通信システム１００は、ＣＤＭＡシステムと呼ばれることがある。
【００３８】
[0068]ＡＰ１０４からＳＴＡ１０６のうちの１つまたは複数への送信を容易にする通信リンクは、ダウンリンク（ＤＬ）１０８と呼ばれることがあり、ＳＴＡ１０６のうちの１つまたは複数からＡＰ１０４への送信を容易にする通信リンクは、アップリンク（ＵＬ）１１０と呼ばれることがある。代替的に、ダウンリンク１０８は順方向リンクまたは順方向チャネルと呼ばれることがあり、アップリンク１１０は逆方向リンクまたは逆方向チャネルと呼ばれることがある。
【００３９】
[0069]ＡＰ１０４は、基本サービスエリア（ＢＳＡ）１０２においてワイヤレス通信カバレージを与えることができる。ＡＰ１０４は、ＡＰ１０４に関連付けられ、通信のためにＡＰ１０４を使用するＳＴＡ１０６とともに、基本サービスセット（ＢＳＳ）と呼ばれることがある。ワイヤレス通信システム１００が中央ＡＰ１０４を有しないことがあり、むしろ、ＳＴＡ１０６間のピアツーピアネットワークとして機能できることに留意されたい。したがって、本明細書で説明するＡＰ１０４の機能は、代替的にＳＴＡ１０６のうちの１つまたは複数によって実行され得る。本開示のいくつかの態様では、ＡＰ１０４は割振りシグナリングコントローラ１３５をさらに有し得る。下でより詳細に説明するように、そのようなコントローラは、帯域幅をいくつかの最小割振りに割り振り、送信（アップリンクまたはダウンリンクのいずれか）内で割振りが割り当てられ得る１つまたは複数のデバイスを特定し、その割振りをそれらの１つまたは複数のデバイスにシグナリングする情報をそれらのデバイス送信するように構成され得る。
【００４０】
[0070]図２に、ワイヤレス通信システム１００内で採用され得るワイヤレスデバイス２０２において利用され得る様々な構成要素を示す。ワイヤレスデバイス２０２は、本明細書で説明する様々な方法を実装するように構成され得るデバイスの一例である。たとえば、ワイヤレスデバイス２０２は、ＡＰ１０４、またはＳＴＡ１０６のうちの１つを備えることができる。
【００４１】
[0071]ワイヤレスデバイス２０２は、ワイヤレスデバイス２０２の動作を制御するプロセッサ２０４を含み得る。プロセッサ２０４は中央処理ユニット（ＣＰＵ）と呼ばれることもある。メモリ２０６は、読取り専用メモリ（ＲＯＭ）とランダムアクセスメモリ（ＲＡＭ）の両方を含むことができ、プロセッサ２０４に命令とデータとを提供する。メモリ２０６の一部はまた、不揮発性ランダムアクセスメモリ（ＮＶＲＡＭ）を含むことができる。プロセッサ２０４は、通常、メモリ２０６内に記憶されたプログラム命令に基づいて、論理演算と算術演算とを実行する。メモリ２０６の中の命令は、本明細書で説明する方法を実施するように実行可能であり得る。
【００４２】
[0072]プロセッサ２０４は、１つまたは複数のプロセッサを用いて実装された処理システムを備えることができ、またはそうした処理システムの構成要素であり得る。１つまたは複数のプロセッサは、汎用マイクロプロセッサ、マイクロコントローラ、デジタル信号プロセッサ（ＤＳＰ）、フィールドプログラマブルゲートアレイ（ＦＰＧＡ）、プログラマブル論理デバイス（ＰＬＤ）、コントローラ、ステートマシン、ゲート論理、個別ハードウェア構成要素、専用ハードウェア有限ステートマシン、または情報の計算または他の操作を実行できる任意の他の好適なエンティティの、任意の組合せを用いて実装され得る。
【００４３】
[0073]処理システムはまた、ソフトウェアを記憶するための機械可読媒体を含むことができる。ソフトウェアは、ソフトウェア、ファームウェア、ミドルウェア、マイクロコード、ハードウェア記述言語と呼ばれるか、またはそれ以外の名称で呼ばれるかにかかわらず、任意のタイプの命令を意味すると広く解釈されるべきである。命令は、（たとえば、ソースコード形式、バイナリコード形式、実行可能コード形式、または任意の他の好適なコードの形式での）コードを含むことができる。命令は、１つまたは複数のプロセッサによって実行されたとき、処理システムに本明細書で説明する様々な機能を実行させる。
【００４４】
[0074]ワイヤレスデバイス２０２はまた、ワイヤレスデバイス２０２と遠隔ロケーションとの間のデータの送信および受信を可能にするために、送信機２１０と受信機２１２とを含むことができるハウジング２０８を含むことができる。送信機２１０および受信機２１２は、組み合わせられてトランシーバ２１４になり得る。アンテナ２１６は、ハウジング２０８に取り付けられ得、トランシーバ２１４に電気的に結合され得る。ワイヤレスデバイス２０２はまた、たとえば、多入力多出力（ＭＩＭＯ）通信中に利用され得る、複数の送信機、複数の受信機、複数のトランシーバ、および／または複数のアンテナを含むことができる（図示せず）。
【００４５】
[0075]ワイヤレスデバイス２０２はまた、トランシーバ２１４によって受信された信号のレベルを検出および定量化しようとして使用され得る信号検出器２１８を含むことができる。信号検出器２１８は、そのような信号を、総エネルギー、シンボルごとのサブキャリア当たりのエネルギー、電力スペクトル密度、および他の信号として検出することができる。ワイヤレスデバイス２０２はまた、信号を処理する際に使用するためのデジタル信号プロセッサ（ＤＳＰ）２２０を含むことができる。ＤＳＰ２２０は、送信のためのデータユニットを生成するように構成され得る。いくつかの態様では、データユニットは、物理レイヤコンバージェンスプロトコル（ＰＬＣＰ）パケットデータユニット（ＰＰＤＵ）を備え得る。いくつかの態様では、ＰＰＤＵは、パケットと呼ばれる。
【００４６】
[0076]ワイヤレスデバイス２０２は、いくつかの態様では、ユーザインターフェース２２２をさらに備えることができる。ユーザインターフェース２２２は、キーパッド、マイクロフォン、スピーカー、および／またはディスプレイを備えることができる。ユーザインターフェース２２２は、ワイヤレスデバイス２０２のユーザに情報を伝達し、および／またはユーザからの入力を受け取る、任意の要素または構成要素を含むことができる。
【００４７】
[0077]ワイヤレスデバイス２０２の様々な構成要素は、バスシステム２２６によって互いに結合され得る。バスシステム２２６は、たとえば、データバス、ならびに、データバスに加えて、電力バスと、制御信号バスと、ステータス信号バスとを含むことができる。ワイヤレスデバイス２０２の構成要素は、何らかの他の機構を使用して、一緒に結合され得るか、または互いに対する入力を受け入れ、もしくは提供し得ることを当業者は諒解されよう。
【００４８】
[0078]いくつかの別個の構成要素が図２に示されているが、構成要素のうちの１つまたは複数は組み合わされるかまたは共通に実装され得ることを、当業者なら認識されよう。たとえば、プロセッサ２０４は、プロセッサ２０４に関して上記で説明した機能を実施するためだけでなく、信号検出器２１８および／またはＤＳＰ２２０に関して上記で説明した機能を実装するためにも使用され得る。さらに、図２に示す構成要素の各々は、複数の別個の要素を使用して実装されてよい。
【００４９】
[0079]上記で論じたように、ワイヤレスデバイス２０２は、ＡＰ１０４またはＳＴＡ１０６を備えることができ、通信を送信および／または受信するために使用され得る。ワイヤレスネットワークにおけるデバイス間で交換される通信は、パケットまたはフレームを備えることができるデータユニットを含むことができる。いくつかの態様では、データユニットは、データフレーム、制御フレーム、および／または管理フレームを含むことができる。データフレームは、ＡＰおよび／またはＳＴＡから他のＡＰおよび／またはＳＴＡにデータを送信するために使用され得る。制御フレームは、様々な動作を実行するために、およびデータを確実に配信するために、データフレームとともに使用され得る（たとえば、データの受信を肯定応答すること、ＡＰのポーリング、エリアクリアリング動作、チャネル取得、キャリア検知維持機能など）。管理フレームは、（たとえば、ワイヤレスネットワークに加わり、そのネットワークから離れるなどのための）様々な監視機能のために使用され得る。
【００５０】
[0080]本開示のいくつかの態様は、ＡＰ１０４が、効率を改善するために最適化された方法でＳＴＡ１０６送信を割り振ることを可能にすることをサポートする。高効率ワイヤレス（ＨＥＷ）ステーション、すなわち、８０２．１１高効率プロトコルを利用するステーションと、（８０２．１１ａｃなどの）より古いまたはレガシーの８０２．１１プロトコルを使用するステーションの両方は、ワイヤレス媒体にアクセスする際に互いに競合または協調することができる。いくつかの実施形態では、本明細書で説明する高効率８０２．１１プロトコルは、ＨＥＷおよびレガシーのステーションが様々なＯＦＤＭＡトーンプラン（トーンマップと呼ばれることもある）に従って相互動作することを可能にすることができる。いくつかの実施形態では、ＨＥＷ局は、ＯＦＤＭＡにおいて多元接続技法を使用することによってなど、より効率的な方法でワイヤレス媒体にアクセスすることができる。したがって、集合住宅または人口密度の高い公共空間の場合、高効率８０２．１１プロトコルを使用するＡＰおよび／またはＳＴＡは、アクティブなワイヤレスデバイスの数が増加するときでも、レイテンシの低減およびネットワークスループットの増加を経験し、それにより、ユーザエクスペリエンスを改善することができる。本開示のいくつかの態様では、ＡＰ１０４は割振りシグナリングコントローラ１３５をさらに有し得る。下でより詳細に説明するように、そのようなコントローラは、帯域幅をいくつかの最小割振りに割り振り、送信（アップリンクまたはダウンリンクのいずれか）内で割振りが割り当てられ得る１つまたは複数のデバイスを特定し、その割振りをそれらの１つまたは複数のデバイスにシグナリングする情報をそれらのデバイス送信するように構成され得る。したがって、ワイヤレスデバイス２０２がＡＰ１０４として構成されるとき、ＡＰ１０４は割振り表示２５０をＳＴＡ１０６Ａ〜１０６Ｄに送信することができる。ワイヤレスデバイス２０２がＳＴＡ１０６Ａとして構成されるとき、ＳＴＡ１０６は割振り表示２５０をＡＰ１０４から受信することができる。様々な実施形態では、割振り表示２５０は、ビーコンまたは情報要素（ＩＥ）の中で提供され得る。
【００５１】
[0081]いくつかの実施形態では、ＡＰ１０４は、ＨＥＷ  ＳＴＡのための様々なＤＬトーンプランに従って、ワイヤレス媒体上で送信することができる。たとえば、図１に関して、ＳＴＡ１０６Ａ〜１０６Ｄは、ＨＥＷ  ＳＴＡであり得る。いくつかの実施形態では、ＨＥＷ  ＳＴＡは、レガシーのＳＴＡのシンボル持続時間の４倍のシンボル持続時間を使用して通信することができる。したがって、送信される各シンボルは、持続時間において４倍長くあり得る。より長いシンボル持続時間を使用するとき、個々のトーンの各々は、送信されるべき帯域幅の１／４のみを必要とし得る。たとえば、様々な実施形態では、１ｘシンボル持続時間は３．２ｍｓであり得、４ｘシンボル持続時間は１２．８ｍｓであり得る。ＡＰ１０４は、通信帯域幅に基づいて、１つまたは複数のトーンプランに従ってＨＥＷ  ＳＴＡ１０６Ａ〜１０６Ｄへメッセージを送信することができる。いくつかの態様では、ＡＰ１０４は、ＯＦＤＭＡを使用して複数のＨＥＷ  ＳＴＡへ同時に送信するように構成され得る。
効率的なリソース割振り
[0082]ＯＦＤＭＡ送信においてリソースを割り振るためのいくつかの異なる方法が、論じられている。たとえば、いくつかの提案は、任意の所与の帯域幅に関して単一のビルディングブロックサイズを使用するのと比較して、複数のビルディングブロックサイズを使用することに関する。たとえば、ＯＦＤＭＡ送信は、トーンの個数を含み得る。たとえば、これらのトーンのうちのいくつかは、ＤＣトーンおよびガードトーンとして使用され得る。他のトーンは特定のデバイスに割り振られてよく、そのデバイスはパイロットトーンおよびデータトーンとしてそれらのトーンを使用することができる。概して、トーンプランは、所与のデバイスに割り振られたトーンのブロックのサイズを「ビルディングブロック」と見なしている。所与のデバイスに１つまたは複数のそのようなブロックを割り振られてよい。ネットワークのスループットを最大にし、ネットワークオーバヘッド（ＯＦＤＭＡ送信においてデータを送信または受信している場合があるデバイスにトーン割振りをシグナリングするために使用されるオーバヘッドなど）を最小にするトーンプランを設計することが望まれる場合がある。他の考慮事項も考慮され得る。たとえば、４０ＭＨｚ送信または８０ＭＨｚ送信において、いくつかの境界をクリアに維持することが望ましい場合がある。たとえば、送信の２つの部分の間にいくつかのガードトーンを含めることによってなど、送信の各４０ＭＨｚ部分または２０ＭＨｚ部分の間の境界をクリアに維持することが望ましい場合がある。
【００５２】
[0083]いくつかの提案は、小さなホール（すなわち、通常ならば、ビルディングブロック内に適合しないことになるトーン）を充填することによって、この提案のパッキング効率も高めた。たとえば、これらのホールは、それらのホール内の小さなリソース粒度（１３個または１４個のトーン）を有するブロックを使用することによって充填され得る。他の提案は、トーンが非連続的であるように、サブバンドＤＣトーンおよびガードから収集されたすべての残余トーンに関して何らかの余分な割振りを有し得る。いくつかの態様では、いくつかの提案はまた、リソースを割り振る際に新しい制約を提起し、いくつかの割振りにおいて２０ＭＨｚまたは４０ＭＨｚの境界を確保している。したがって、トーンプランを考慮するとき、トーンの場所を２０ＭＨｚおよび４０ＭＨｚの境界と整合させることがどの程度重要であるか、およびより良好な効率性のために小さなホールが充填される必要があるかどうかが決定されるべきである。
【００５３】
[0084]いくつかの態様では、既存のトーンプランと同じサイズであるビルディングブロックサイズを有するトーンプランを使用することが有利であり得る。たとえば、ＩＥＥＥ８０２．１１ａｃおよび／または８０２．１１ａｈは、２６個、５６個、１１４個、２４２個、および４８４個のトーンを含むトーン割振りのために、インターリービングパラメータおよびいくつかのパイロットトーンなど、トーンプランを提供することができる。したがって、これらのサイズのトーン割振りが使用されるとき、新しい設計を必要とするよりも、既存のトーンプランが使用されるため、そのような割振りは有益であり得る。いくつかの態様では、通常ならば、未使用または残余の可能性があるトーンを使用することによって、より良好なパッキング効率を可能にするために、（１３個または１４個のトーンのブロックなど）１つの新しいリソース粒度が使用され得る。いくつかの態様は、何の２０ＭＨｚ境界も確保されておらず、（大きなまたは小さな）各割振りブロックが連続トーンを有する帯域幅全体上に単一のキャリア送信を含むことも可能である。代替的に、大部分の割振りは、２０ＭＨｚ境界と整合することが可能であり、非連続トーンを有し得るパッキング効率に役立つように、小さな割振りが中間２０ＭＨｚおよびサブＤＣのトーン上に挿入され得る。
【００５４】
[0085]もう１つの方法は、基本トーン単位（ＢＴＵ：basic tone unit）および小さなトーン単位（ＳＴＵ：small tone unit）を有する、任意の特定の帯域幅に関して２つのビルディングブロックサイズのみを使用することを含み得る。ＢＴＵサイズは、帯域幅に応じてよく、既存の数秘学(numerology)を再使用することができる（すなわち、ＩＥＥＥ８０２．１１ａｃ／ａｈにおいて使用されるように、２６個、５６個、１１４個、２４２個、および４８４個のトーンのうちの１つまたは複数のトーンブロックを使用することができる）。ＳＴＵは、帯域幅にかかわらず、７個の連続トーンであってよく、最小リソース割振りは２つのそのようなリソース単位を含み得る。この設計は、パッキング効率を高めるために、ＢＴＵの間に挿入された多くのＳＴＵ、メインを含み得る。しかしながら、ＳＴＵ内を充填するために、それだけ多くの小型パケットを見出して、パッキングすることは容易でない場合がある。ここで、２０ＭＨｚ境界は、ＳＴＵ割振りが無視されるときに維持され得る。たとえば、いくつかのＳＴＵが割り当てられない場合、２０ＭＨｚ境界が維持され得る。
物理的境界の維持
[0086]様々な実施形態では、トーンの個数プランは、物理的２０／４０ＭＨｚ境界を維持させていない。したがって、チャネルボンディングが使用される場合、いくつかのリソースユニット（代替的に、トーングループまたはトーン割振りユニットと呼ばれるＲＵ）またはエッジトーンは、境界（たとえば、ガードトーン）を生み出すために、パンクチャまたは省略されてよい。本明細書で論じる様々な好ましい実施形態では、割振りは、物理的２０／４０ＭＨｚ境界を維持するのに十分なガードトーンを残すことができ、それに応じて、リソースユニットが調整され得る。
【００５５】
[0087]いくつかの態様では、２０および／または４０ＭＨｚ境界を維持することは、いくつかの利点を有し得る。たとえば、この境界を維持することは干渉管理を容易にし得る。たとえば、特定のデバイスは、帯域幅の１つまたは複数の２０ＭＨｚ部分に干渉を有し得る。たとえば、８０ＭＨｚ送信において２０ＭＨｚ境界を維持することによって、これは、デバイスが干渉を受ける可能性がないクリーンな２０ＭＨｚまたは４０ＭＨｚのチャネルにデバイスを事前に割り振りすることを容易にし得る。さらに、これらの境界を維持することは、チャネルボンディングに適応することもできる。いくつかの実施形態では、全帯域幅（ＢＷ）の部分がレガシー送信または８０２．１１ａｘ送信に占有され、連続的または非連続的な周波数帯域幅の残りの部分が依然として一緒にスケジュールされ得るチャネルボンディングが実行され得る。たとえば、いくつかの態様では、ネットワークは、ＩＥＥＥ８０２．１１ａｃデバイスなど、レガシーデバイスの近傍にあり得る。これらのデバイスは、たとえば、そのチャネルがＯＦＤＭＡ送信の８０ＭＨｚ帯域幅内にある１個の２０ＭＨｚチャネル上で送信することができる。したがって、ＯＦＤＭＡ送信は、レガシーデバイスが、その帯域幅を使用して送信し、それらのデバイスからの干渉またはそれらのデバイスとの干渉を防ぐことを可能にするために、帯域幅内に２０ＭＨｚ「ホール」を用いて２０ＭＨｚおよび４０ＭＨｚを送信するように構成され得る。送信の異なる２０ＭＨｚ部分同士の間の境界が維持されるとき、送信においてそのような「ホール」を可能にすることは、トーンプランに対する最小のシグナリングおよび変更のみを必要とし得る。したがって、ＯＦＤＭＡ送信において２０および／または４０ＭＨｚ境界を維持することは有益であり得る。
【００５６】
[0088]したがって、本開示は、クリアな２０ＭＨｚおよび４０ＭＨｚ境界、および効率的なリソース割振りを可能にするトーンプランを提案する。これらのトーンプランは、様々な使用事例に応じて、必要なとき、これらの境界を維持することができる。これらのトーンプランは、センターブロック（ＣＢ）、左センターブロック（ＬＣＢ）、および／または右センターブロック（ＲＣＢ）を導入することによって、より良好な効率のために小さなホールを充填することもできる。「左」の指定は、左側に負のインデックスおよび右側に正のインデックスを有する、送信のトーンが示されることが多い方法に関係し得ることに留意されたい。したがって、ＣＢは送信の（ＤＣトーンを軸とする）中心にあり得る。８０ＭＨｚ送信において、ＬＣＢは、送信の「左」（負のインデックス）上に、８０ＭＨｚ帯域幅の左４０ＭＨｚの中心に、−２５６周囲のインデックスにあり得る。同様に、ＲＣＢは、送信の「右」（正のインデックス）上に、８０ＭＨｚ帯域幅の右４０ＭＨｚの中心に、２５６周囲のインデックスにあり得る。
【００５７】
[0089]トーンプランを設計するとき、所与の帯域幅に関していくつかの設計方法が使用され得る。第１に、ＤＣトーンと同様に維持される必要がある２０／４０ＭＨｚ帯域幅のためのトーンを確保することができる。たとえば、各境界に関して１１個のトーンを仮定することができるが、これは、その数はＩＥＥＥ８０２．１１ａｃ規格において要求される数であるためである。概して、８０ＭＨｚ送信の左４０ＭＨｚ上の（インデックス−２５６の周囲の）２０ＭＨｚ境界も、左４０ＭＨｚに関するＤＣトーンと考えられてよく、ＤＣ１と呼ばれる場合がある。同様に、８０ＭＨｚ送信の右４０ＭＨｚ上の（インデックス２５６の周囲の）２０ＭＨｚ境界は、ＤＣ２と呼ばれる場合がある。使用されるＤＣトーンの数は７個または１１個であってよく、７個はＤＣトーンとして必要とされるが、１１個のトーンは、送信の２０ＭＨｚまたは４０ＭＨｚの部分同士の間の境界を維持するために必要とされ得る。たとえば、８０ＭＨｚ送信において、クリアな境界のための２０＋４０＋２０ＭＨｚのサブバンド結合は、８０ＭＨｚと中央４０ＭＨｚの両方に関して同じＤＣを有する。４０ＭＨｚ  ＤＣの場合、５１２高速フーリエ変換（ＦＦＴ）のための既存のトーンプランは１１個のＤＣトーンを有することに留意されたい。さらに、ＤＣトーンの数が２０／４０ＭＨｚ境界も担当する場合、この数は１１であり得る。たとえば、８０ＭＨｚ送信において、８０ＭＨｚ  ＢＳＳからの２０＋２０＋２０＋２０、４０＋４０、２０＋２０＋４０のサブバンド結合が使用され得る。
【００５８】
[0090]いくつかの態様では、この割振りは、センターブロック（ＣＢ）または左センターブロックおよび右センターブロック（ＬＣＢ、ＲＣＢ）ならびにＳＢは、リソース粒度として（２６個、５６個、１１４個、２４２個、４８４個のトーンから）既存の数秘学を再使用することができることを除いて、すべての割振りのビルディングブロックとして標準ブロック（ＳＢ）を使用することができる。標準ブロックは、所与の帯域に関して単一サイズを有することができるか、または各帯域幅に関して複数のサイズを有することもできる。いくつかの態様では、各使用可能なトーン（すなわち、ＤＣトーンまたはガードトーンとして使用されるトーンではなく、データトーンまたはパイロットトーンに関して使用され得るトーン）は、ＳＢ、ＣＢ、ＲＣＢ、またはＬＣＢのうちの１つに割り当てられ得る。
【００５９】
[0091]４０ＭＨｚからの２０＋２０ＭＨｚおよび８０ＭＨｚからの４０＋４０ＭＨｚの場合、センターブロック（ＣＢ）が定義されてよく、パケット帯域の中央に固定ロケーションを有し得る。ＣＢのサイズは、ＳＢの後の残余トーンの数に応じ得る。概して、ＣＢが知られているトーンプランを有する割振りの組合せに適合する数のトーンを含むことを可能にするために、ＤＣトーンおよびガードトーンの数に関して若干の調整も存在し得る。たとえば、ＳＢが送信の帯域幅にかかわらず、単一のビルディングブロックサイズを有する場合、ＣＢは、送信の帯域幅に対応するブロックサイズを有し得る。概して、ＣＢはＤＣトーンの両側に同数のトーン（または奇数のＣＢサイズが使用されるとき、片側に１個の追加のトーン）を含み得る。
【００６０】
[0092]２０＋２０＋２０＋２０ＭＨｚ、２０＋４０＋２０ＭＨｚ、および／または２０＋２０＋４０ＭＨｚのための境界を有することを望む８０ＭＨｚ送信の場合、左センターブロック（ＬＣＢ）および右センターブロック（ＲＣＢ）が定義され、左４０ＭＨｚのためのＤＣトーン（インデックス−２５６の周囲のＤＣ１）および右４０ＭＨｚのためのＤＣトーン（インデックス２５６の周囲のＤＣ２）の周囲に固定ロケーションをそれぞれ有し、ブロックサイズは残余トーンの数に応じる。いくつかの態様では、ＬＣＢおよび／またはＲＣＢが知られているトーンプランと整合するトーンの割振りを有することを可能にするために、ＤＣトーンおよびガードトーンの数が若干調整され得る。左または右の４０ＭＨｚ  ＤＣ上で、トーンが２０ＭＨｚ境界のためにすでに確保されていた場合、左センターブロックまたは右センターブロックがそれらの境界トーンの周囲に割り振られるべきである。概して、ＬＣＢおよびＲＣＢは、ＤＣ１またはＤＣ２の各側に同数のトーン（または、奇数のＬＣＢ／ＲＣＢサイズが使用されるとき、片側に１個の追加のトーン）をそれぞれ含み得る。いくつかの態様では、ＤＣ１またはＤＣ２が使用されないとき、ＬＣＢまたはＲＣＢも提供され得る。この場合、ＬＣＢまたはＲＣＢは、８０ＭＨｚ送信の左４０ＭＨｚまたは右４０ＭＨｚのいずれかの中央トーンにあり得る。たとえば、これらの場合、ＬＣＢは、トーンインデックス−２５６を中心とすることができ、ＲＣＢは、トーンインデックス２５６を中心とし得る。
【００６１】
[0093]いくつかの態様では、通常ならば未使用のトーンを機会主義的に使用することが有益であり得る。たとえば、それは、２０ＭＨｚにおいてトーンインデックス［−１２８：−１２３、−３：３、１２３：１２７］、４０ＭＨｚにおいて［−２５６：−２５１、−３：３、２５１：２５５］、および８０ＭＨｚにおいて［−５１２：−５０７、−３：３、５０７：５１１］である１１個のガードトーンおよび７個のＤＣトーンが必要とされる事例に該当し得る。追加のガードトーン、ＣＢに隣接し得る追加のＤＣトーン、ＬＣＢに隣接し得るＤＣ１トーン、ＲＣＢに隣接し得るＤＣトーンを含めて、他のトーンも以下の割振りにおいて確保され得る。何の物理的２０／４０ＭＨｚサブバンド境界も確保される必要がない場合、ＤＣ１およびＤＣ２は、ポピュレートされたトーン（データ＋パイロット）として使用され、場合によっては、それらに隣接するＣＢ／ＬＣＢ／ＲＣＢとマージされ得る。代替的に、物理的２０／４０ＭＨｚサブバンド境界が維持される必要がある場合、これらのトーンが境界として使用され得るように、それらのトーン内で何も送信しない。いくつかの態様では、ＤＣ１／ＤＣ２＋ＬＣＢ／ＲＣＢは、センターブロックまたはエッジブロックを置換するための拡張ブロックとして使用され得る。たとえば、これらのブロックは、２０／４０ＭＨｚ境界を維持する必要に応じて、（送信のための）オンおよび（送信なしのための）オフであり得る。境界が維持される必要がない場合に、別個のトーンプランを必要とし得ないという点で、これは有益であり得る。
【００６２】
[0094]図３は、８０ＭＨｚ送信における左センターブロック３１５および右センターブロック３２５のロケーションの図である。８０ＭＨｚ送信は、各々が（図の上部における）−５１２から（図の下部における）＋５１１までのインデックス数を有し得る、１０２４個のトーンを含み得る。示すように、左ガードトーン３３５は、その後に、標準ブロック（ＳＢ）３０５のために使用されるトーンが続く（インデックス−５１２から始まり、６個以上の連続トーンを含むことが多い）送信の最低インデックス内で生じ得る。ＤＣ１  ３５５は、左４０ＭＨｚの２つの２０ＭＨｚの中間部に（トーンインデックス−２５６の周囲など、その中間点に）トーンの個数を含むことができ、ＤＣ１  ３５５の両側に、左センターブロック（ＬＣＢ）３１５を形成するためのトーンが存在し得る。ＬＣＢ３１５は、ＤＣ１  ３５５の両側にトーンを含むことができ、ＤＣ１  ３５５の各側に同数のトーンを含み得る。したがって、ＬＣＢ３１５はトーンインデックス−２５６を中心とし得る。右センターブロック（ＲＣＢ）３２５は、８０ＭＨｚ送信の右４０ＭＨｚ内に（トーンインデックス２５６の周囲に）ＤＣ２  ３７５を同様に囲んで配置され得る。送信の際にＤＣトーン３６５において、１１個のトーンなど、トーンの個数が使用されてもよい。これらのトーンは、送信においてトーンインデックス０を中心とし得る。最終的に、右ガードトーン３４５として、最後の（最高インデックスの）５以上のトーンが使用され得る。これらのトーンは、左ガードトーン３３５のように、送信内に何の情報も含まなくてよく、ＯＦＤＭＡ送信と他の帯域幅上で生じ得る他の送信との間にガードを提供するために使用され得る。この設計、および本明細書で提示される他の設計は、必要なときはいつでも、クリアな２０ＭＨｚ境界および４０ＭＨｚ境界を可能にし得る。この設計は、（トリガメッセージ内、もしくはＯＦＤＭＡメッセージのヘッダ内、または他の場所でなど）使用されるシグナリングに応じて、ＤＬ  ＯＦＤＭＡメッセージ内の制御チャネル、またはＵＬまたはＤＬのＯＦＤＭＡメッセージ内の最初の／最後のユーザのために使用され得るＣＢ、ＬＣＢ、および／またはＲＣＢを有することによって、パッキング効率を確実にすることもできる。いくつかの態様では、この設計は、ＣＢ、またはＬＣＢ、またはＲＣＢに何のシグナリングの必要とされないことを確実にし、それによって、シグナリングオーバーヘッドを低減することができる。
【００６３】
[0095]図４は、２０ＭＨｚ送信のために提案される割振りの図である。２０ＭＨｚ送信は、各々が（図の上部における）−１２８から（図の下部における）＋１２７までのインデックス数を有し得る、２５６個のトーンを含み得る。これらのトーンのうち、（左ガードトーン４３５および右ガードトーン４４５を含む）１１個がガードトーンとして使用されてよく、１１個がＤＣ４２５トーンとして使用されてよい。これは、２６個のトーンのＳＢ４０５サイズが使用されることを可能にし得、各ＳＢ４０５は、２個のパイロットトーンと２４個のデータトーンとを含む。したがって、２４個のデータトーンと２個のパイロットトーンとを有する、２６個のトーンプランがＩＥＥＥ８０２．１１ａｃ規格および８０２．１１ａｈ規格に組み込まれることが可能であるため、この割振りは既存のトーンプランを使用することができる。この割振りは、８個のＳＢ４０５を有することができ、これらのトーンの半分がＤＣ４２５トーンの一方の側にあり、半分がＤＣ４２５トーンのもう一方の側にある、２６個のトーンをＤＣ４２５トーンの周囲に有するＣＢ４１５を有することができる。このトーンプランを使用して、様々なリソース割振りが可能であり得る。たとえば、１人のユーザにすべての２４２個のトーン（３個のＤＣ４２５トーンおよび１１個のガードトーンを有する、２５６個のトーンを有するＩＥＥＥ８０２．１１ａｃにおける既存のトーンプラン）が割り振られてよく、２人のユーザは、ＣＢ４１５が割り振られた１人のユーザおよび８個のＳＢ４０５が割り当てられた他のユーザとトーンを共有することができる。任意の数のユーザがこの割振りにおいてＳＢ４０５およびＣＢ４１５を使用することができるように、様々な他の組合せが可能であり得る。いくつかの態様では、ＣＢ４１５はＳＢ４０５と同じサイズであるため、ＣＢ４１５は、合計で９個のＳＢ４０５に達するであろう別のＳＢ４０５であると考えられ得る。
【００６４】
[0096]図５は、２０ＭＨｚ送信のために提案される別の割振りの図である。２０ＭＨｚ送信は、各々が（図の上部における）−１２８から（図の下部における）＋１２７までのインデックス数を有し得る、２５６個のトーンを含み得る。これらのトーンのうち、（左ガードトーン５３５および右ガードトーン５４５を含む）１１個がガードトーンとして使用されてよく、７個がＤＣ５２５トーンとして使用されてよい。これは、５６個のトーンのＳＢ５０５サイズが使用されることを可能にし得、送信は４個のＳＢ５０５を含み得る。概して、５６個のトーンを送信することは、ＩＥＥＥ８０２．１１ａｃおよび／またはＩＥＥＥ８０２．１１ａｈ規格の一部として含まれる既存のトーンプランを使用することができる。この割振りは、それらのトーンの半分がＤＣ５２５トーンの各側にある、１４個のトーンを有するＣＢ５１５を有することができる。異なる数のデバイスに異なる量のトーンを割り振るために、これらのブロックが様々な組合せで１人、２人、３人、またはより多くのユーザの間に割り振られてよい。たとえば、１人のユーザにすべての２４２個のトーンが割り振られてよい（２５６個のトーンから、３個のＤＣトーンおよび１１個のガードトーンを差し引いた、１１ａｃにおける既存のトーンプラン）。この割振りにおいて、ＣＢ５１５は、新しいトーンプランを必要とし得る１４個のトーンを含むことに留意されたい。たとえば、ＣＢ５１５は、２個のパイロットトーンと１２個のデータトーンとを含み得る。
【００６５】
[0097]図６は、２０ＭＨｚ送信のために提案される別の割振りの図である。２０ＭＨｚ送信は、各々が（図の上部における）−１２８から（図の下部における）＋１２７までのインデックス数を有し得る、２５６個のトーンを含み得る。これらのトーンのうち、（左ガードトーン６３５および右ガードトーン６４５を含む）１１個または９個がガードトーンとして使用されてよく、３個または５個がＤＣ６２５トーンとして使用されてよい。たとえば、１１個のガードトーンおよび３個のＤＣ６２５トーンが使用されてよく、または９個のガードトーンおよび５個のＤＣ６２５トーンが使用されてよい。これは、１１４個のトーンのＳＢ６０５サイズが使用されることを可能にし得、送信は２個のＳＢ６０５を含み得る。概して、１１４個のトーンを送信することは、ＩＥＥＥ８０２．１１ａｃおよび／またはＩＥＥＥ８０２．１１ａｈ規格の一部として含まれる既存のトーンプランを使用することができる。この割振りは、それらのトーンの半分がＤＣ６２５トーンの各側にある、１４個のトーンを有するＣＢ６１５を有することができる。異なる数のデバイスに異なる量のトーンを割り振るために、これらのブロックが様々な組合せで１人、２人、３人、またはより多くのユーザの間に割り振られてよい。たとえば、１人のユーザにすべての２４２個のトーンが割り振られてよい（３個のＤＣトーンおよび１１個のガードトーンを有する、２５６個のトーンを有する１１ａｃにおける既存のトーンプラン）。この割振りにおいて、ＣＢ６１５は、新しいトーンプランを必要とし得る１４個のトーンを含むことに留意されたい。たとえば、ＣＢ６１５は、２個のパイロットトーンと１２個のデータトーンとを含み得る。
【００６６】
[0098]図７は、４０ＭＨｚ送信のために提案される割振りの図である。４０ＭＨｚ送信は、各々が（図の上部における）−２５６から（図の下部における）＋２５５までのインデックス数を有し得る、５１２個のトーンを含み得る。これらのトーンのうち、（左ガードトーン７３５および右ガードトーン７４５を含む）１５個がガードトーンとして使用されてよく、１１個がＤＣ７２５トーンとして使用されてよい。これは、２６個のトーンのＳＢサイズが使用されることを可能にし得、送信は１６個のＳＢ７０５を含み得る。概して、２６個のトーンを送信することは、ＩＥＥＥ８０２．１１ａｃおよび／またはＩＥＥＥ８０２．１１ａｈ規格の一部として含まれる既存のトーンプランを使用することができる。この割振りは、それらのトーンの半分がＤＣ７２５トーンの各側にある、７０個のトーンを有するＣＢ７１５を有することができる。異なる数のデバイスに異なる量のトーンを割り振るために、これらのブロックが様々な組合せで１人、２人、３人、またはより多くのユーザの間に割り振られてよい。たとえば、１個のデバイスはすべてのブロックが割り振られてよく、ＩＥＥＥ８０２．１１ａｃおよび／またはＩＥＥＥ８０２．１１ａｈ規格に見出されるように、（１５個の代わりに１１個のガードトーンが存在する）既存の４８４トーン数秘学を使用することができる。この割振りにおいて、ＣＢ７２５は、いくつかの異なる方法で割り振られることが可能な７０個のトーンを含むことに留意された。たとえば、これらは（４個のパイロットトーンおよび５２個のデータトーンを有する）５６個のトーン割振りおよび（２個のパイロットトーンおよび１２個のデータトーンを有する）１４個のトーン割振りとして割り振られてよい。代替的に、７０個のトーンＣＢ７１５は（各々が２個のパイロットトーンおよび１２個のデータトーンを有する）５個の１４トーン割振りとして使用され得る。
【００６７】
[0099]図８は、４０ＭＨｚ送信のために提案される割振りの図である。４０ＭＨｚ送信は、各々が（図の上部における）−２５６から（図の下部における）＋２５５までのインデックス数を有し得る、５１２個のトーンを含み得る。これらのトーンのうち、（左ガードトーン８３５および右ガードトーン８４５を含む）１９個、または１７個、または１５個がガードトーンとして使用されてよく、１１個、または１３個、または１５個がＤＣ８２５トーンとしてそれぞれ使用されてよい。これは、２６個のトーンのＳＢサイズが使用されることを可能にし得、送信は１８個のＳＢ８０５を含み得る。概して、２６個のトーンを送信することは、ＩＥＥＥ８０２．１１ａｃおよび／またはＩＥＥＥ８０２．１１ａｈ規格の一部として含まれる既存のトーンプランを使用することができる。この割振りは、それらのトーンの半分がＤＣトーン８２５の各側にある、１４個のトーンを有するＣＢ８１５を有することができる。異なる数のデバイスに異なる量のトーンを割り振るために、これらのブロックが様々な組合せで１人、２人、３人、またはより多くのユーザの間に割り振られてよい。たとえば、１個のデバイスは、すべてのブロックが割り振られてよく、（いくつかのパイロットトーンおよびデータトーン、ならびにインターリーバパラメータを含む新しいトーンプランなど）新しい５１２ＦＦＴ数秘学、またはＩＥＥＥ８０２．１１ａｃおよび／またはＩＥＥＥ８０２．１１ａｈ規格に見出されるような、（１１個のガードトーンおよび１１個のＤＣトーンが存在する）既存の４８４トーン数秘学を使用することができる。この割振りにおいて、ＣＢ８１５は、新しいトーンプランを必要とし得る１４個のトーンを含むことに留意されたい。たとえば、ＣＢ８１５は、２個のパイロットトーンと１２個のデータトーンとを含み得る。
【００６８】
[00100]図９は、４０ＭＨｚ送信のために提案される割振りの図である。４０ＭＨｚ送信は、各々が（図の上部における）−２５６から（図の下部における）＋２５５までのインデックス数を有し得る、５１２個のトーンを含み得る。これらのトーンのうち、（左ガードトーン９３５および右ガードトーン９４５を含む）１１個がガードトーンとして使用されてよく、１１個がＤＣ９２５トーンとして使用されてよい。これは、５６個のトーンのＳＢサイズが使用されることを可能にし得、送信は８個のＳＢ９０５を含み得る。概して、５６個のトーンを送信することは、ＩＥＥＥ８０２．１１ａｃおよび／またはＩＥＥＥ８０２．１１ａｈ規格の一部として含まれる既存のトーンプランを使用することができる。この割振りは、それらのトーンの半分がＤＣトーン９２５の各側にある、４２個のトーンを有するＣＢ９１５を有することができる。異なる数のデバイスに異なる量のトーンを割り振るために、これらのブロックが様々な組合せで１人、２人、３人、またはより多くのユーザの間に割り振られてよい。たとえば、１個のデバイスはすべてのブロックが割り振られてよく、ＩＥＥＥ８０２．１１ａｃおよび／またはＩＥＥＥ８０２．１１ａｈ規格に見出されるように、既存の４８４トーン数秘学を使用することができる。この割振りにおいて、ＣＢ９１５は、各々１４個のトーンの３個のブロックに割り振られることが可能な４２個のトーンを含むことに留意されたい。これらのブロックの各々は、２個のパイロットトーンと１２個のデータトーンとを含み得る。
【００６９】
[00101]図１０は、４０ＭＨｚ送信のために提案される割振りの図である。４０ＭＨｚ送信は、各々が（図の上部における）−２５６から（図の下部における）＋２５５までのインデックス数を有し得る、５１２個のトーンを含み得る。これらのトーンのうち、（左ガードトーン１０３５および右ガードトーン１０４５を含む）１７個がガードトーンとして使用されてよく、１１個がＤＣ１０２５トーンとして使用されてよい。これは、１１４個のトーンのＳＢサイズが使用されることを可能にし得、送信は、４個のＳＢ１００５を含み得る。概して、１１４個のトーンを送信することは、ＩＥＥＥ８０２．１１ａｃおよび／またはＩＥＥＥ８０２．１１ａｈ規格の一部として含まれる既存のトーンプランを使用することができる。この割振りは、それらのトーンの半分がＤＣトーン１０２５の各側にある、２８個のトーンを有するＣＢ１０１５を有することができる。異なる数のデバイスに異なる量のトーンを割り振るために、これらのブロックが様々な組合せで１人、２人、３人、またはより多くのユーザの間に割り振られてよい。たとえば、１個のデバイスはすべてのブロックが割り振られてよく、ＩＥＥＥ８０２．１１ａｃおよび／またはＩＥＥＥ８０２．１１ａｈ規格に見出されるように、（１７個の代わりに１１個のガードトーンが存在する）既存の４８４トーン数秘学を使用することができる。この割振りにおいて、ＣＢ１０１５は、各々、１４個のトーンの２個のブロックに割り振られることが可能な２８個のトーンを含むことに留意されたい。これらのブロックの各々は、２個のパイロットトーンと１２個のデータトーンとを含み得る。
【００７０】
[00102]図１１は、４０ＭＨｚ送信のために提案される割振りの図である。４０ＭＨｚ送信は、各々が（図の上部における）−２５６から（図の下部における）＋２５５までのインデックス数を有し得る、５１２個のトーンを含み得る。これらのトーンのうち、（左ガードトーン１１３５および右ガードトーン１１４５を含む）１７個がガードトーンとして使用されてよく、１１個がＤＣ１１２５トーンとして使用されてよい。これは、２４２個のトーンのＳＢサイズが使用されることを可能にし得、送信は２個のＳＢ１１０５を含み得る。概して、２４２個のトーンを送信することは、ＩＥＥＥ８０２．１１ａｃおよび／またはＩＥＥＥ８０２．１１ａｈ規格の一部として含まれる既存のトーンプランを使用することができる。この割振りは何のＣＢ１１１５も有さなくてよい。これらのブロックは１個または２個のデバイスの間で割り振られてよい。たとえば、１個のデバイスに両方のブロックが割り振られてよく、ＩＥＥＥ８０２．１１ａｃおよび／またはＩＥＥＥ８０２．１１ａｈ規格に見出されるように、（１７個の代わりに、１１個のガードトーンが存在する）既存の４８４トーン数秘学を使用することができる。
【００７１】
[00103]図１２は、８０ＭＨｚ送信のために提案される割振りの図である。この割振りは、４０＋４０ＭＨｚのための境界、すなわち、第１の４０ＭＨｚと第２の４０ＭＨｚとの間の境界を維持するために使用され得る。８０ＭＨｚ送信は、各々が（図の上部における）−５１２から（図の下部における）＋５１１までのインデックス数を有し得る、１０２４個のトーンを含み得る。これらのトーンのうち、（左ガードトーン１２３５および右ガードトーン１２４５を含む）１１個がガードトーンとして使用されてよく、１１個がＤＣトーン１２２５として使用されてよい。これは、２６個のトーンのＳＢサイズが使用されることを可能にし得、送信は３２個のＳＢ１２０５を含み得る。概して、２６個のトーンを送信することは、ＩＥＥＥ８０２．１１ａｃおよび／またはＩＥＥＥ８０２．１１ａｈ規格の一部として含まれる既存のトーンプランを使用することができる。この割振りは、それらのトーンの半分がＤＣトーン１２２５の各側にある、１７０個のトーンを有するＣＢ１２１５を有することができる。異なる数のデバイスに異なる量のトーンを割り振るために、これらのブロック（ＣＢ１２１５およびＳＢ１２０５）が様々な組合せで１人、２人、３人、またはより多くのユーザの間に割り振られてよい。たとえば、新しい１０２４ＦＦＴ数秘学を使用して、各ＳＢ１２０５およびＣＢ１２１５が単一のユーザに割り振られてよい。この割振りにおいて、ＣＢ１２１５は、望みの両方がユーザ既存の数秘学であり得る、１１４個のトーンの１個のブロック、および５６個のトーンの１個のブロックに割り振られてよい１７０個のトーンを含むことに留意されたい。たとえば、１１４個のトーンを有するブロックは、６個のパイロットトーンおよび１０８個のデータトーンを含むことができ、５６個のトーンを有するブロックは、５２個のデータトーンおよび４個のパイロットトーンを含むことができる。代替的に、１１４個のトーンの１個のブロック、および１４個のトーンの４個のブロックに割り振られてよい、１７０個のトーンのＣＢ１２１５。１４トーンのブロックの各々は、２個のパイロットトーンと１２個のデータトーンとを含み得る。
【００７２】
[00104]図１３は、８０ＭＨｚ送信のために提案される割振りの図である。この割振りは、４０＋４０ＭＨｚのための境界、すなわち、第１の４０ＭＨｚと第２の４０ＭＨｚとの間の境界を維持するために使用され得る。８０ＭＨｚ送信は、各々が（図の上部における）−５１２から（図の下部における）＋５１１までのインデックス数を有し得る、１０２４個のトーンを含み得る。これらのトーンのうち、（左ガードトーン１３３５および右ガードトーン１３４５を含む）１１個がガードトーンとして使用されてよく、１１個がＤＣトーン１３２５として使用されてよい。これは、２６個のトーンのＳＢサイズが使用されることを可能にし得、送信は３８個のＳＢ１３０５を含み得る。概して、２６個のトーンを送信することは、ＩＥＥＥ８０２．１１ａｃおよび／またはＩＥＥＥ８０２．１１ａｈ規格の一部として含まれる既存のトーンプランを使用することができる。この割振りは、それらのトーンの半分がＤＣトーン１３２５の各側にある、１４個のトーンを有するＣＢ１３１５を有することができる。異なる数のデバイスに異なる量のトーンを割り振るために、これらのブロック（ＣＢ１３１５およびＳＢ１３０５）が様々な組合せで１人、２人、３人、またはより多くのユーザの間に割り振られてよい。たとえば、新しい１０２４ＦＦＴ数秘学を使用して、各ＳＢ１３０５およびＣＢ１３１５が単一のユーザに割り振られてよい。この割振りにおいて、ＣＢ１３１５は、１２個のデータトーンと２個のパイロットトーンとを１つの割振りの中に含み得る１４個のトーンを含むことに留意されたい。
【００７３】
[00105]図１４は、８０ＭＨｚ送信のために提案される割振りの図である。この割振りは、２０＋２０＋２０＋２０ＭＨｚのための、または２０＋４０＋２０ＭＨｚのための境界、すなわち、ＤＣ１４２５、ＤＣ１  １４７５、およびＤＣ２  １４８５における、またはＤＣ１  １４７５およびＤＣ２  １４８５における境界をそれぞれ維持するために使用され得る。８０ＭＨｚ送信は、各々が（図の上部における）−５１２から（図の下部における）＋５１１までのインデックス数を有し得る、１０２４個のトーンを含み得る。これらのトーンのうち、（左ガードトーン１４３５および右ガードトーン１４４５を含む）１５個または１４個がガードトーンとして使用されてよく、１５個または１４個がＤＣトーン１４０５として使用されてよい。ＤＣ１  １４７５は１１個のトーンを含んでよく、ＤＣ２  １４８５も１１個のトーンを含んでよい。これは、２６個のトーンのＳＢサイズが使用されることを可能にし得、送信は３２個のＳＢ１４０５を含み得る。概して、２６個のトーンを送信することは、ＩＥＥＥ８０２．１１ａｃおよび／またはＩＥＥＥ８０２．１１ａｈ規格の一部として含まれる既存のトーンプランを使用することができる。この割振りは、それらのトーンの半分がＤＣ１  １４７５トーンの各側にある、７０個または７１個のトーンを有するＬＣＢ１４５５を有することができる。この割振りは、それらのトーンの半分がＤＣ２  １４８５トーンの各側にある、７０個または７１個のトーンを有するＲＣＢ１４６５を有することができる。１４０個のトーンを有するＬＣＢ１４５５＋ＲＣＢ１４６５は、２個の５６トーン割振りに２個の１４トーン割振りを加えたものに適合し得ることに留意されたい。代替的に、１４０個のトーンを有するＬＣＢ＋ＲＣＢは１０個の１４トーン割振りに適合し得る。１４２個のトーンを有するＬＣＢ＋ＲＣＢは、１個の１１４トーン割振りに２個の１４トーン割振りを加えたものに適合し得ることに留意されたい。各７０トーンＬＣＢ１４５５またはＲＣＢ１４６５は、１個の５６トーン割振りおよび１個の１４トーン割振りに適合する。代替的に、各７０トーンＬＣＢ１４５５またはＲＣＢ１４６５は５個の１４トーン割振りに適合する。トーンを異なる数のデバイスに異なる量で割り振るために、これらのブロック（ＲＣＢ１４６５、ＬＣＢ１４５５、およびＳＢ１４０５）が様々な組合せで１人、２人、３人、またはより多くのユーザの間に割り振られてよい。たとえば、新しい１０２４ＦＦＴ数秘学を使用して、各ＳＢ１４０５およびＬＣＢ＋ＲＣＢが単一のユーザに割り振られてよい。
【００７４】
[00106]図１４は、８０ＭＨｚ送信のために提案される別の割振りも示す。この割振りは、２０＋２０＋２０＋２０ＭＨｚのための、または２０＋４０＋２０ＭＨｚのための境界、すなわち、ＤＣ１４２５、ＤＣ１  １４７５、およびＤＣ２  １４８５における、またはＤＣ１  １４７５およびＤＣ２  １４８５における境界をそれぞれ維持するために使用され得る。８０ＭＨｚ送信は、各々が（図の上部における）−５１２から（図の下部における）＋５１１までのインデックス数を有し得る、１０２４個のトーンを含み得る。これらのトーンのうち、（左ガードトーン１４３５および右ガードトーン１４４５を含む）１１個がガードトーンとして使用されてよく、１１個がＤＣトーン１４２５として使用されてよい。ＤＣ１  １４７５は１５個または１４個のトーンを含んでよく、ＤＣ２  １４８５も１５個または１４個のトーンを含んでよい。これは、２６個のトーンのＳＢサイズが使用されることを可能にし得、送信は３２個のＳＢ１４０５を含み得る。概して、２６個のトーンを送信することは、ＩＥＥＥ８０２．１１ａｃおよび／またはＩＥＥＥ８０２．１１ａｈ規格の一部として含まれる既存のトーンプランを使用することができる。この割振りは、それらのトーンの半分がＤＣ１トーン１４７５の各側にある、７０個または７１個のトーンを有するＬＣＢ１４５５を有することができる。この割振りはまた、それらのトーンの半分がＤＣ２トーン１４８５の各側にある、７０個または７１個のトーンを有するＲＣＢ１４６５を有することができる。１４０個のトーンを有するＬＣＢ＋ＲＣＢは、２個の５６トーン割振りに２個の１４トーン割振りを加えたものに適合し得ることに留意されたい。代替的に、１４０個のトーンを有するＬＣＢ＋ＲＣＢは１０個の１４トーン割振りに適合し得る。１４２個のトーンを有するＬＣＢ＋ＲＣＢは、１個の１１４トーン割振りに２個の１４トーン割振りを加えたものに適合し得ることに留意されたい。各７０トーンＬＣＢ１４５５またはＲＣＢ１４６５は、１個の５６トーン割振りおよび１個の１４トーン割振りに適合する。代替的に、各７０トーンＬＣＢ１４５５またはＲＣＢ１４６５は５個の１４トーン割振りに適合する。トーンを異なる数のデバイスに異なる量で割り振るために、これらのブロック（ＲＣＢ１４６５、ＬＣＢ１４５５、およびＳＢ１４０５）が様々な組合せで１人、２人、３人、またはより多くのユーザの間に割り振られてよい。たとえば、新しい１０２４ＦＦＴ数秘学を使用して、各ＳＢ１４０５およびＬＣＢ＋ＲＣＢが単一のユーザに割り振られてよい。
【００７５】
[00107]図１５は、８０ＭＨｚ送信のために提案される割振りの図である。この割振りは、２０＋２０＋２０＋２０ＭＨｚのための、または２０＋４０＋２０ＭＨｚのための境界、すなわち、ＤＣ１５２５、ＤＣ１  １５７５、およびＤＣ２  １５８５における、またはＤＣ１  １５７５およびＤＣ２  １５８５における境界をそれぞれ維持するために使用され得る。８０ＭＨｚ送信は、各々が（図の上部における）−５１２から（図の下部における）＋５１１までのインデックス数を有し得る、１０２４個のトーンを含み得る。これらのトーンのうち、（左ガードトーン１５３５および右ガードトーン１５４５を含む）１３個がガードトーンとして使用されてよく、１１個がＤＣトーン１５２５として使用されてよい。ＤＣ１  １５７５は１１個のトーンを含んでよく、ＤＣ２  １５８５も１１個のトーンを含んでよい。これは、２６個のトーンのＳＢサイズが使用されることを可能にし得、送信は３６個のＳＢ１５０５を含み得る。概して、２６個のトーンを送信することは、ＩＥＥＥ８０２．１１ａｃおよび／またはＩＥＥＥ８０２．１１ａｈ規格の一部として含まれる既存のトーンプランを使用することができる。この割振りは、それらのトーンの半分がＤＣ１トーン１５７５の各側にある、２１個のトーンを有するＬＣＢ１５５５を有することができる。この割振りは、それらのトーンの半分がＤＣ２トーン１５８５の各側にある、２１個のトーンを有するＲＣＢ１５６５を有することもできる。４２個のトーンを有するＬＣＢ＋ＲＣＢは３個の１４トーン割振りに適合し得ることに留意されたい。トーンを異なる数のデバイスに異なる量で割り振るために、これらのブロック（ＲＣＢ１５６５、ＬＣＢ１５５５、およびＳＢ１５０５）が様々な組合せで１人、２人、３人、またはより多くのユーザの間に割り振られてよい。たとえば、新しい１０２４ＦＦＴ数秘学を使用して、各ＳＢ１５０５およびＬＣＢ＋ＲＣＢが単一のユーザに割り振られてよい。
【００７６】
[00108]別の態様では、図１５は、８０ＭＨｚ送信のために提案される別の割振りも示し得る。この割振りは、２０＋２０＋２０＋２０ＭＨｚのための、または２０＋４０＋２０ＭＨｚのための境界、すなわち、ＤＣ１５２５、ＤＣ１  １５７５、およびＤＣ２  １５８５における、またはＤＣ１  １５７５およびＤＣ２  １５８５における境界をそれぞれ維持するために使用され得る。８０ＭＨｚ送信は、各々が（図の上部における）−５１２から（図の下部における）＋５１１までのインデックス数を有し得る、１０２４個のトーンを含み得る。これらのトーンのうち、（左ガードトーン１５３５および右ガードトーン１５４５を含む）１５個または１３個がガードトーンとして使用されてよく、１１個または１３個がＤＣトーン１５２５として使用されてよい。ＤＣ１  １５７５は１１個のトーンを含んでよく、ＤＣ２  １５８５も１１個のトーンを含んでよい。これは、２６個のトーンのＳＢサイズが使用されることを可能にし得、送信は３６個のＳＢ１５０５を含み得る。概して、２６個のトーンを送信することは、ＩＥＥＥ８０２．１１ａｃおよび／またはＩＥＥＥ８０２．１１ａｈ規格の一部として含まれる既存のトーンプランを使用することができる。この割振りは、それらのトーンの半分がＤＣ１トーン１５７５の各側にある、２０個のトーンを有するＬＣＢ１５５５を有することができる。この割振りは、それらのトーンの半分がＤＣ２トーン１５８５の各側にある、２０個のトーンを有するＲＣＢ１５６５を有することもできる。４０個のトーンを有するＬＣＢ＋ＲＣＢは、１個の１４トーン割振りおよび１個の２６トーン割振りに適合し得ることに留意されたい。トーンを異なる数のデバイスに異なる量で割り振るために、これらのブロック（ＲＣＢ１５６５、ＬＣＢ１５５５、およびＳＢ１５０５）が様々な組合せで１人、２人、３人、またはより多くのユーザの間に割り振られてよい。たとえば、新しい１０２４ＦＦＴ数秘学を使用して、各ＳＢ１５０５およびＬＣＢ＋ＲＣＢが単一のユーザに割り振られてよい。
【００７７】
[00109]別の態様では、図１５は、８０ＭＨｚ送信のために提案されるさらに別の割振りも示し得る。この割振りは、２０＋２０＋２０＋２０ＭＨｚのための、または２０＋４０＋２０ＭＨｚのための境界、すなわち、ＤＣ１５２５、ＤＣ１  １５７５、およびＤＣ２  １５８５における、またはＤＣ１  １５７５およびＤＣ２  １５８５における境界をそれぞれ維持するために使用され得る。８０ＭＨｚ送信は、各々が（図の上部における）−５１２から（図の下部における）＋５１１までのインデックス数を有し得る、１０２４個のトーンを含み得る。これらのトーンのうち、（左ガードトーン１５３５および右ガードトーン１５４５を含む）１５個がガードトーンとして使用されてよく、１５個がＤＣトーン１５２５として使用されてよい。ＤＣ１  １５７５は１５個のトーンを含んでよく、ＤＣ２  １５８５も１５個のトーンを含んでよい。これは、２６個のトーンのＳＢサイズが使用されることを可能にし得、送信は３６個のＳＢ１５０５を含み得る。概して、２６個のトーンを送信することは、ＩＥＥＥ８０２．１１ａｃおよび／またはＩＥＥＥ８０２．１１ａｈ規格の一部として含まれる既存のトーンプランを使用することができる。この割振りは、それらのトーンの半分がＤＣ１トーン１５７５の各側にある、１４個のトーンを有するＬＣＢ１５５５を有することができる。この割振りは、それらのトーンの半分がＤＣ２トーン１５８５の各側にある、１４個のトーンを有するＲＣＢ１５６５を有することもできる。ＬＣＢ１５５５およびＲＣＢ１５６５の各々は１個の１４トーン割振りに適合し得ることに留意されたい。トーンを異なる数のデバイスに異なる量で割り振るために、これらのブロック（ＲＣＢ１５６５、ＬＣＢ１５５５、およびＳＢ１５０５）が様々な組合せで１人、２人、３人、またはより多くのユーザの間に割り振られてよい。たとえば、新しい１０２４ＦＦＴ数秘学を使用して、各ＳＢ１５０５およびＬＣＢ＋ＲＣＢが単一のユーザに割り振られてよい。
【００７８】
[00110]図１６は、８０ＭＨｚ送信のために提案される割振りを示す。この割振りは、２０＋２０＋４０ＭＨｚのための境界、すなわち、ＤＣ１６２５およびＤＣ１  １６７５における境界を維持するために使用され得る。８０ＭＨｚ送信は、各々が（図の上部における）−５１２から（図の下部における）＋５１１までのインデックス数を有し得る、１０２４個のトーンを含み得る。これらのトーンのうち、（左ガードトーン１６３５および右ガードトーン１６４５を含む）１５個がガードトーンとして使用されてよく、１４個がＤＣトーン１６２５（すなわち、インデックス−７から６の、または−６から７のトーン）として使用されてよい。ＤＣ１  １６７５は１１個のトーンを含み得る。いくつかの態様では、この割振りは、ＤＣ１  １６７５が使用され得ず、ＤＣ２が１１個のトーンを含み得るとき、ＤＣ２における境界を維持するために使用されることも可能である。これは、２６個のトーンのＳＢサイズが使用されることを可能にし得、送信は３２個のＳＢ１６０５を含み得る。概して、２６個のトーンを送信することは、ＩＥＥＥ８０２．１１ａｃおよび／またはＩＥＥＥ８０２．１１ａｈ規格の一部として含まれる既存のトーンプランを使用することができる。この割振りは、それらのトーンの半分がＤＣ１トーン１６７５の各側にある、７０個のトーンを有するＬＣＢ１６５５を有することができる。この割振りは、何のＤＣ２も使用されないとき、８２個のトーンを有するＲＣＢ１６６５を有することも可能である。（ＤＣ１  １６７５ではなくＤＣ２を維持するとき、ＬＣＢ１６５５およびＲＣＢ１６６５のためのトーンの数は逆転してもよい）。ＬＣＢ１６５５は、１個の１４トーン割振りおよび１個の５６トーン割振りに適合し得、または代替的に、ＲＣＢ１６６５が、１個の２６トーン割振りおよび１個の５６トーン割振り、または代替的に、１個の２６トーン割振りおよび４個の１４トーン割振りに適合する間、５個の１４トーン割振りに適合し得ることに留意されたい。トーンを異なる数のデバイスに異なる量で割り振るために、これらのブロック（ＲＣＢ１６６５、ＬＣＢ１６５５、およびＳＢ１６０５）が様々な組合せで１人、２人、３人、またはより多くのユーザの間に割り振られてよい。たとえば、新しい１０２４ＦＦＴ数秘学を使用して、各ＳＢ１６０５およびＬＣＢ＋ＲＣＢが単一のユーザに割り振られてよい。
【００７９】
[00111]図１７は、８０ＭＨｚ送信のために提案される割振りを示す。この割振りは、２０＋２０＋４０ＭＨｚのための境界、すなわち、ＤＣ１７２５およびＤＣ１  １７７５における（または、ＲＣＢ１７６５およびＤＣ２に関して、ＬＣＢ１７５５およびＤＣ１  １７７５のためのトーンの数は逆転され得るため、ＤＣ１７２５およびＤＣ２における）境界を維持するために使用され得る。８０ＭＨｚ送信は、各々が（図の上部における）−５１２から（図の下部における）＋５１１までのインデックス数を有し得る、１０２４個のトーンを含み得る。これらのトーンのうち、１２個がガードトーンとして使用され得、１１個がＤＣトーン１７２５として使用され得る。ＤＣ１  １７７５は１１個のトーンを含み得る。いくつかの態様では、この割振りは、ＤＣ１  １７７５が使用され得ず、ＤＣ２が１１個のトーンを含み得るとき、ＤＣ２における境界を維持するために使用されることも可能である。これは、２６個のトーンのＳＢサイズが使用されることを可能にし得、送信は３７個のＳＢ１７０５を含み得る。概して、２６個のトーンを送信することは、ＩＥＥＥ８０２．１１ａｃおよび／またはＩＥＥＥ８０２．１１ａｈ規格の一部として含まれる既存のトーンプランを使用することができる。この割振りは、それらのトーンの半分がＤＣ１  １７７５トーンの各側にある、２１個のトーンを有するＬＣＢ１７５５を有することができる。この割振りは、何のＤＣ２も使用されないとき、７個のトーンを有するＲＣＢ１７６５を有することも可能である。（ＤＣ１  １７７５ではなくＤＣ２を維持するとき、ＬＣＢ１７５５およびＲＣＢ１７６５のためのトーンの数は逆転してもよい）。ＬＣＢ＋ＲＣＢは２個の１４トーン割振りに適合し得ることに留意されたい。トーンを異なる数のデバイスに異なる量で割り振るために、これらのブロック（ＲＣＢ１７６５、ＬＣＢ１７５５、およびＳＢ１７０５）が様々な組合せで１人、２人、３人、またはより多くのユーザの間に割り振られてよい。たとえば、新しい１０２４ＦＦＴ数秘学を使用して、各ＳＢ１７０５およびＬＣＢ＋ＲＣＢが単一のユーザに割り振られてよい。
【００８０】
[00112]図１７は、８０ＭＨｚ送信のために提案される別の割振りも示す。この割振りは、２０＋２０＋４０ＭＨｚのための境界、すなわち、ＤＣ１７２５およびＤＣ１  １７７５における（または、ＲＣＢ１７６５およびＤＣ２に関して、ＬＣＢ１７５５およびＤＣ１  １７７５のためのトーンの数は逆転され得るため、ＤＣ１７２５およびＤＣ２における）境界を維持するために使用され得る。８０ＭＨｚ送信は、各々が（図の上部における）−５１２から（図の下部における）＋５１１までのインデックス数を有し得る、１０２４個のトーンを含み得る。これらのトーンのうち、（左ガードトーン１７３５および右ガードトーン１７４５を含む）１２個がガードトーンとして使用されてよく、１２個がＤＣ１７２５トーン（［−６：５］または［−５：６］のいずれか）として使用されてよい。ＤＣ１  １７７５は１２個のトーンを含み得る。いくつかの態様では、この割振りは、ＤＣ１  １７７５が使用され得ず、ＤＣ２が１２個のトーンを含み得るとき、ＤＣ２における境界を維持するために使用されることも可能である。これは、２６個のトーンのＳＢサイズが使用されることを可能にし得、送信は３７個のＳＢ１７０５を含み得る。概して、２６個のトーンを送信することは、ＩＥＥＥ８０２．１１ａｃおよび／またはＩＥＥＥ８０２．１１ａｈ規格の一部として含まれる既存のトーンプランを使用することができる。この割振りは、それらのトーンの半分がＤＣ１  １７７５トーンの各側にある、２０個のトーンを有するＬＣＢ１７５５を有することができる。この割振りは、何のＤＣ２も使用されないとき、６個のトーンを有するＲＣＢ１７６５を有することも可能である。（ＤＣ１  １７７５ではなくＤＣ２を維持するとき、ＬＣＢ１７５５およびＲＣＢ１７６５のためのトーンの数は逆転してもよい）。ＬＣＢ＋ＲＣＢは１個の２６トーン割振りに適合し得ることに留意されたい。異なる数のデバイスに異なる量のトーンを割り振るために、これらのブロック（ＲＣＢ、ＬＣＢ、およびＳＢ）が様々な組合せで１人、２人、３人、またはより多くのユーザの間に割り振られてよい。たとえば、新しい１０２４ＦＦＴ数秘学を使用して、各ＳＢ１７０５およびＬＣＢ＋ＲＣＢが単一のユーザに割り振られてよい。
【００８１】
[00113]図１８は、８０ＭＨｚ送信のために提案される別の割振りを示す。この割振りは、２０＋２０＋４０ＭＨｚのための境界、すなわち、ＤＣ１８２５およびＤＣ１  １８７５における（または、ＲＣＢ１８６５およびＤＣ２に関して、ＬＣＢ１８５５およびＤＣ１  １８７５のためのトーンの数は逆転され得るため、ＤＣ１８２５およびＤＣ２における）境界を維持するために使用され得る。８０ＭＨｚ送信は、各々が（図の上部における）−５１２から（図の下部における）＋５１１までのインデックス数を有し得る、１０２４個のトーンを含み得る。これらのトーンのうち、（左ガードトーン１８３５および右ガードトーン１８４５を含む）１２個がガードトーンとして使用されてよく、１２個がＤＣ１８２５トーン（［−６：５］または［−５：６］のいずれか）として使用されてよい。ＤＣ１  １８７５は１２個のトーンを含み得る。いくつかの態様では、この割振りは、ＤＣ１  １８７５が使用され得ず、ＤＣ２が１２個のトーンを含み得るとき、ＤＣ２における境界を維持するために使用されることも可能である。これは、２６個のトーンのＳＢサイズが使用されることを可能にし得、送信は３６個のＳＢ１８０５を含み得る。概して、２６個のトーンを送信することは、ＩＥＥＥ８０２．１１ａｃおよび／またはＩＥＥＥ８０２．１１ａｈ規格の一部として含まれる既存のトーンプランを使用することができる。この割振りは、それらのトーンの半分がＤＣ１  １８７５トーンの各側にある、２０個のトーンを有するＬＣＢ１８５５を有することができる。この割振りは、何のＤＣ２も使用されないとき、３２個のトーンを有するＲＣＢ１８６５を有することも可能である。（ＤＣ１  １８７５ではなくＤＣ２を維持するとき、ＬＣＢ１８５５およびＲＣＢ１８６５のためのトーンの数は逆転してもよい）。ＬＣＢ＋ＲＣＢは２個の２６トーン割振りに適合し得ることに留意されたい。トーンを異なる数のデバイスに異なる量で割り振るために、これらのブロック（ＲＣＢ１８６５、ＬＣＢ１８５５、およびＳＢ１８０５）が様々な組合せで１人、２人、３人、またはより多くのユーザの間に割り振られてよい。たとえば、新しい１０２４ＦＦＴ数秘学を使用して、各ＳＢ１８０５およびＬＣＢ＋ＲＣＢが単一のユーザに割り振られてよい。１個の２６トーン割振りは、ＲＣＢ内に完全に含まれてよく、したがって、２０＋２０＋４０ＭＨｚ境界にわたらないことに留意されたい。これは、別のＳＢと見なされてよく、この場合、ＲＣＢは右４０ＭＨｚの中心にない可能性がある。ＬＣＢ＋ＲＣＢからの他の２６トーン割振りは２０＋２０＋４０ＭＨｚ境界にわたって割り当てられ、したがって、ＳＢと見なされ得ない。
【００８２】
[00114]図１９は、８０ＭＨｚ送信のために提案される別の割振りを示す。この割振りは、４０＋４０ＭＨｚのための境界、すなわち、ＤＣトーン１９２５における境界を維持するために使用され得る。８０ＭＨｚ送信は、各々が（図の上部における）−５１２から（図の下部における）＋５１１までのインデックス数を有し得る、１０２４個のトーンを含み得る。これらのトーンのうち、（左ガードトーン１９３５および右ガードトーン１９４５を含む）１３個または１１個がガードトーンとして使用されてよく、１１個または１３個がＤＣトーン１９２５として使用されてよい。これは、５６個のトーンのＳＢサイズが使用されることを可能にし得、送信は１６個のＳＢ１９０５を含み得る。概して、５６個のトーンを送信することは、ＩＥＥＥ８０２．１１ａｃおよび／またはＩＥＥＥ８０２．１１ａｈ規格の一部として含まれる既存のトーンプランを使用することができる。この割振りは、それらのトーンの半分がＤＣトーン１９２５の各側にある、１０４個のトーンを有するＣＢ１９１５を有することができる。ＣＢ１９１５は４個の２６トーン割振りに適合し得ることに留意されたい。異なる数のデバイスに異なる量のトーンを割り振るために、これらのブロック（ＣＢ１９１５およびＳＢ１９０５）が様々な組合せで１人、２人、３人、またはより多くのユーザの間に割り振られてよい。たとえば、新しい１０２４ＦＦＴ数秘学を使用して、各ＳＢ１９０５およびＣＢ１９２５が単一のユーザに割り振られてよい。
【００８３】
[00115]図１９は、８０ＭＨｚ送信のために提案される別の割振りも示す。この割振りは、４０＋４０ＭＨｚのための境界、すなわち、ＤＣトーン１９２５における境界を維持するために使用され得る。８０ＭＨｚ送信は、各々が（図の上部における）−５１２から（図の下部における）＋５１１までのインデックス数を有し得る、１０２４個のトーンを含み得る。これらのトーンのうち、（左ガードトーン１９３５および右ガードトーン１９４５を含む）１５個がガードトーンとして使用されてよく、１５個がＤＣトーン１９２５として使用されてよい。これは、５６個のトーンのＳＢサイズが使用されることを可能にし得、送信は１６個のＳＢ１９０５を含み得る。概して、５６個のトーンを送信することは、ＩＥＥＥ８０２．１１ａｃおよび／またはＩＥＥＥ８０２．１１ａｈ規格の一部として含まれる既存のトーンプランを使用することができる。この割振りは、それらのトーンの半分がＤＣトーン１９２５の各側にある、９８個のトーンを有するＣＢ１９１５を有することができる。ＣＢ１９１５は７個の１４トーン割振りに適合し得ることに留意されたい。代替的に、ＣＢ１９１５は、１個の５６トーン割振りおよび３個の１４トーン割振りに適合し得る。ＣＢ１９１５における５６トーン割振りはＳＢと同じサイズを有するが、このトーン割振りは、ＤＣトーン１９２５の両側のトーンを含み、４０＋４０ＭＨｚ境界にわたることになる。したがって、それはＳＢ１９０５と見なされ得ない。異なる数のデバイスに異なる量のトーンを割り振るために、これらのブロック（ＣＢ１９１５およびＳＢ１９０５）が様々な組合せで１人、２人、３人、またはより多くのユーザの間に割り振られてよい。たとえば、新しい１０２４ＦＦＴ数秘学を使用して、各ＳＢ１９０５およびＣＢ１９１５が単一のユーザに割り振られてよい。
【００８４】
[00116]図２０は、８０ＭＨｚ送信のために提案される別の割振りを示す。この割振りは、２０＋２０＋２０＋２０ＭＨｚまたは２０＋４０＋２０ＭＨｚのための境界、すなわち、ＤＣ２０２５トーン、ＤＣ１  ２０７５トーン、およびＤＣ２  ２０８５トーンにおける、またはＤＣ１  ２０７５トーンおよびＤＣ２  ２０８５トーンにおける境界をそれぞれ維持するために使用され得る。８０ＭＨｚ送信は、各々が（図の上部における）−５１２から（図の下部における）＋５１１までのインデックス数を有し得る、１０２４個のトーンを含み得る。これらのトーンのうち、（左ガードトーン２０３５および右ガードトーン２０４５を含む）１１個がガードトーンとして使用されてよく、１１個がＤＣ２０２５トーンとして使用されてよい。さらに、１１個のＤＣ１  ２０７５トーンおよび１１個のＤＣ２  ２０８５トーンも存在し得る。これは、５６個のトーンのＳＢサイズが使用されることを可能にし得、送信は１６個のＳＢ２００５を含み得る。概して、５６個のトーンを送信することは、ＩＥＥＥ８０２．１１ａｃおよび／またはＩＥＥＥ８０２．１１ａｈ規格の一部として含まれる既存のトーンプランを使用することができる。この割振りは、それらのトーンの半分がＤＣ１  ２０７５トーンの各側にある、４２個のトーンを有するＬＣＢ２０５５と、それらのトーンの半分がＤＣ２  ２０８５トーンの各側にある、４２個のトーンを有するＲＣＢ２０６５とを有することができる。ＬＣＢ２０５５またはＲＣＢ２０６５は各々、３個の１４トーン割振りに適合し得ることに留意されたい。代替的に、ＬＣＢ＋ＲＣＢは、１個の５６トーン割振りおよび２個の１４トーン割振りに適合し得る。ＬＣＢ＋ＲＣＢにおける５６トーン割振りはＳＢ２００５と同じサイズを有するが、このトーン割振りは、ＤＣトーン２０２５の両側にトーンを含み、２０＋２０＋２０＋２０ＭＨｚ境界または２０＋４０＋２０ＭＨｚ境界にわたることになる。したがって、それはＳＢと見なされ得ない。トーンを異なる数のデバイスに異なる量で割り振るために、これらのブロック（ＬＣＢ２０５５、ＲＣＢ２０６５、およびＳＢ２００５）が様々な組合せで１人、２人、３人、またはより多くのユーザの間に割り振られてよい。たとえば、新しい１０２４ＦＦＴ数秘学を使用して、各ＳＢ２００５およびＬＣＢ＋ＲＣＢが単一のユーザに割り振られてよい。
【００８５】
[00117]図２０は、８０ＭＨｚ送信のために提案される別の割振りも示す。この割振りは、２０＋２０＋２０＋２０ＭＨｚまたは２０＋４０＋２０ＭＨｚのための境界、すなわち、ＤＣ２０２５トーン、ＤＣ１  ２０７５トーン、およびＤＣ２  ２０８５トーンにおける、またはＤＣ１  ２０７５トーンおよびＤＣ２  ２０８５トーンにおける境界をそれぞれ維持するために使用され得る。８０ＭＨｚ送信は、各々が（図の上部における）−５１２から（図の下部における）＋５１１までのインデックス数を有し得る、１０２４個のトーンを含み得る。これらのトーンのうち、（左ガードトーン２０３５および右ガードトーン２０４５を含む）１３個または１１個がガードトーンとして使用されてよく、１１個または１３個がＤＣ２０２５トーンとして使用されてよい。さらに、１１個のＤＣ１トーン２０７５および１１個のＤＣ２トーン２０８５も存在し得る。これは、５６個のトーンのＳＢサイズが使用されることを可能にし得、送信は１６個のＳＢ２００５を含み得る。概して、５６個のトーンを送信することは、ＩＥＥＥ８０２．１１ａｃおよび／またはＩＥＥＥ８０２．１１ａｈ規格の一部として含まれる既存のトーンプランを使用することができる。この割振りは、それらのトーンの半分がＤＣ１  ２０７５トーンの各側にある、４１個のトーンを有するＬＣＢ２０５５と、それらのトーンの半分がＤＣ２  ２０８５トーンの各側にある、４１個のトーンを有するＲＣＢ２０６５とを有することができる。ＬＣＢ＋ＲＣＢは、１個の５６トーン割振りおよび１個の２６トーン割振りに適合し得ることに留意されたい。ＬＣＢ＋ＲＣＢにおける５６トーン割振りはＳＢ２００５と同じサイズを有するが、このトーン割振りは、ＤＣトーンの両側にトーンを含み、２０＋２０＋２０＋２０ＭＨｚ境界または２０＋４０＋２０ＭＨｚ境界にわたることになる。したがって、それはＳＢ２００５と見なされ得ない。トーンを異なる数のデバイスに異なる量で割り振るために、これらのブロック（ＬＣＢ２０５５、ＲＣＢ２０６５、およびＳＢ２００５）が様々な組合せで１人、２人、３人、またはより多くのユーザの間に割り振られてよい。たとえば、新しい１０２４ＦＦＴ数秘学を使用して、各ＳＢ２００５およびＬＣＢ＋ＲＣＢが単一のユーザに割り振られてよい。
【００８６】
[00118]図２１は、８０ＭＨｚ送信のために提案される別の割振りを示す。この割振りは、２０＋２０＋４０ＭＨｚのための境界、すなわち、ＤＣ２１２５トーンおよびＤＣ１  ２１７５トーンにおける（または、ＤＣ１／ＤＣ２に関する、およびＬＣＢ／ＲＣＢに関するトーンの数を切り替えることによって、ＤＣ２１２５およびＤＣ２における）境界を維持するために使用され得る。８０ＭＨｚ送信は、各々が（図の上部における）−５１２から（図の下部における）＋５１１までのインデックス数を有し得る、１０２４個のトーンを含み得る。これらのトーンのうち、（左ガードトーン２１３５および右ガードトーン２１４５を含む）１２個がガードトーンとして使用されてよく、１１個がＤＣトーン２１２５として使用されてよい。さらに、１１個のＤＣ１トーン２１７５も存在し得る。これは、５６個のトーンのＳＢサイズが使用されることを可能にし得、送信は１６個のＳＢ２１０５を含み得る。概して、５６個のトーンを送信することは、ＩＥＥＥ８０２．１１ａｃおよび／またはＩＥＥＥ８０２．１１ａｈ規格の一部として含まれる既存のトーンプランを使用することができる。この割振りは、それらのトーンの半分がＤＣ１トーン２１７５の各側にある、４２個のトーンを有するＬＣＢ２１５５と、５２個のトーンを有するＲＣＢ２１６５とを有することができる。ＬＣＢ２１５５は、３個の１４トーン割振りに適合し得、ＲＣＢ２１６５は、２個の２６トーン割振りに適合し得ることに留意されたい。トーンを異なる数のデバイスに異なる量で割り振るために、これらのブロック（ＬＣＢ２１５５、ＲＣＢ２１６５、およびＳＢ２１０５）が様々な組合せで１人、２人、３人、またはより多くのユーザの間に割り振られてよい。たとえば、新しい１０２４ＦＦＴ数秘学を使用して、各ＳＢ２１０５およびＬＣＢ＋ＲＣＢが単一のユーザに割り振られてよい。
【００８７】
[00119]図２１は、８０ＭＨｚ送信のために提案される別の割振りも示す。この割振りは、２０＋２０＋４０ＭＨｚのための境界、すなわち、ＤＣ２１２５トーンおよびＤＣ１  ２１７５トーンにおける（または、ＤＣ１／ＤＣ２に関する、およびＬＣＢ／ＲＣＢに関するトーンの数を切り替えることによって、ＤＣ２１０５およびＤＣ２における）境界を維持するために使用され得る。８０ＭＨｚ送信は、各々が（図の上部における）−５１２から（図の下部における）＋５１１までのインデックス数を有し得る、１０２４個のトーンを含み得る。これらのトーンのうち、（左ガードトーン２１３５および右ガードトーン２１４５を含む）１３個がガードトーンとして使用されてよく、１２個が（［−６：５］または［−５：６］からの）ＤＣトーン２１２５として使用されてよい。さらに、１１個のＤＣ１トーン２１７５も存在し得る。これは、５６個のトーンのＳＢサイズが使用されることを可能にし得、送信は１６個のＳＢ２１０５を含み得る。概して、５６個のトーンを送信することは、ＩＥＥＥ８０２．１１ａｃおよび／またはＩＥＥＥ８０２．１１ａｈ規格の一部として含まれる既存のトーンプランを使用することができる。この割振りは、それらのトーンの半分がＤＣ１トーン２１７５の各側にある、４１個または４２個のトーンを有するＬＣＢ２１５５と、５１個または５０個のトーンを有するＲＣＢ２１５５とを有することができる。ＬＣＢ＋ＲＣＢは、３個の２６トーン割振りおよび１個の１４トーン割振りに適合し得ることに留意されたい。トーンを異なる数のデバイスに異なる量で割り振るために、これらのブロック（ＬＣＢ２１５５、ＲＣＢ２１６５、およびＳＢ２１０５）が様々な組合せで１人、２人、３人、またはより多くのユーザの間に割り振られてよい。たとえば、新しい１０２４ＦＦＴ数秘学を使用して、各ＳＢ２１０５およびＬＣＢ＋ＲＣＢが単一のユーザに割り振られてよい。
【００８８】
[00120]図２２は、８０ＭＨｚ送信のために提案される別の割振りを示す。この割振りは、４０＋４０ＭＨｚのための境界、すなわち、ＤＣ２２２５における境界を維持するために使用され得る。８０ＭＨｚ送信は、各々が（図の上部における）−５１２から（図の下部における）＋５１１までのインデックス数を有し得る、１０２４個のトーンを含み得る。これらのトーンのうち、（左ガードトーン２２３５および右ガードトーン２２４５を含む）１４個がガードトーンとして使用されてよく、１４個が（［−７：６］または［−６：７］からの）ＤＣトーン２２２５として使用されてよい。これは、１１４個のトーンのＳＢサイズが使用されることを可能にし得、送信は８個のＳＢ２２０５を含み得る。概して、１１４個のトーンを送信することは、ＩＥＥＥ８０２．１１ａｃおよび／またはＩＥＥＥ８０２．１１ａｈ規格の一部として含まれる既存のトーンプランを使用することができる。この割振りは、それらのトーンの半分がＤＣトーン２２２５の各側にある、８４個のトーンを有するＣＢ２２１５を有することができる。ＣＢ２２１５は、１個の５６トーン割振り、および２個の１４トーン割振りに適合し得るか、または６個の１４トーン割振りに適合し得ることに留意されたい。異なる数のデバイスに異なる量のトーンを割り振るために、これらのブロック（ＣＢ２２１５およびＳＢ２２０５）が様々な組合せで１人、２人、３人、またはより多くのユーザの間に割り振られてよい。たとえば、新しい１０２４ＦＦＴ数秘学を使用して、各ＳＢ２２０５およびＣＢ２２１５が単一のユーザに割り振られてよい。
【００８９】
[00121]図２２は、８０ＭＨｚ送信のために提案される別の割振りも示す。この割振りは、４０＋４０ＭＨｚのための境界、すなわち、ＤＣトーン２２２５における境界を維持するために使用され得る。８０ＭＨｚ送信は、各々が（図の上部における）−５１２から（図の下部における）＋５１１までのインデックス数を有し得る、１０２４個のトーンを含み得る。これらのトーンのうち、（左ガードトーン２２３５および右ガードトーン２２４５を含む）１５個がガードトーンとして使用されてよく、１５個がＤＣトーン２２２５として使用されてよい。これは、１１４個のトーンのＳＢサイズが使用されることを可能にし得、送信は８個のＳＢ２２０５を含み得る。概して、１１４個のトーンを送信することは、ＩＥＥＥ８０２．１１ａｃおよび／またはＩＥＥＥ８０２．１１ａｈ規格の一部として含まれる既存のトーンプランを使用することができる。この割振りは、それらのトーンの半分がＤＣトーン２２２５の各側にある、８２個のトーンを有するＣＢ２２１５を有することができる。ＣＢ２２１５は、１個の５６トーン割振りおよび１個の２６トーン割振りに適合し得ることに留意されたい。異なる数のデバイスに異なる量のトーンを割り振るために、これらのブロック（ＣＢ２２１５およびＳＢ２２０５）が様々な組合せで１人、２人、３人、またはより多くのユーザの間に割り振られてよい。たとえば、新しい１０２４ＦＦＴ数秘学を使用して、各ＳＢ２２０５およびＣＢ２２１５が単一のユーザに割り振られてよい。
【００９０】
[00122]図２３は、８０ＭＨｚ送信のために提案される別の割振りを示す。この割振りは、２０＋２０＋２０＋２０ＭＨｚまたは２０＋４０＋２０ＭＨｚのための境界、すなわち、ＤＣ２３２５トーン、ＤＣ１  ２３７５トーン、およびＤＣ２  ２３８５トーンにおける境界、またはＤＣ１  ２３７５トーンおよびＤＣ２  ２３８５トーンにおける境界をそれぞれ維持するために使用され得る。８０ＭＨｚ送信は、各々が（図の上部における）−５１２から（図の下部における）＋５１１までのインデックス数を有し得る、１０２４個のトーンを含み得る。これらのトーンのうち、（左ガードトーン２３３５および右ガードトーン２３４５を含む）１３個または１１個がガードトーンとして使用されてよく、１１個または１３個がＤＣトーン２３２５として使用されてよい。さらに、１１個のトーンがＤＣ１トーン２３７５に関して使用されてよく、１１個のトーンがＤＣ２トーン２３８５に関して使用されてよい。これは、１１４個のトーンのＳＢサイズが使用されることを可能にし得、送信は８個のＳＢ２３０５を含み得る。概して、１１４個のトーンを送信することは、ＩＥＥＥ８０２．１１ａｃおよび／またはＩＥＥＥ８０２．１１ａｈ規格の一部として含まれる既存のトーンプランを使用することができる。この割振りは、それらの半分がＤＣ１トーン２３７５の各側にある、３３個のトーンを有するＬＣＢ２３５５と、それらの半分がＤＣ２トーン２３８５の各側にある、３３個のトーンを有するＲＣＢ２３６５とを有することができる。ＬＣＢ＋ＲＣＢは一緒に、２個の２６トーン割振りおよび１個の１４トーン割振りに適合し得ることに留意されたい。トーンを異なる数のデバイスに異なる量で割り振るために、これらのブロック（ＬＣＢ２３５５、ＲＣＢ２３６５、およびＳＢ２３０５）が様々な組合せで１人、２人、３人、またはより多くのユーザの間に割り振られてよい。たとえば、新しい１０２４ＦＦＴ数秘学を使用して、各ＳＢ２３０５およびＬＣＢ＋ＲＣＢが単一のユーザに割り振られてよい。
【００９１】
[00123]図２３は、８０ＭＨｚ送信のために提案される別の割振りも示す。この割振りは、２０＋２０＋２０＋２０ＭＨｚまたは２０＋４０＋２０ＭＨｚのための境界、すなわち、ＤＣ２３２５トーン、ＤＣ１  ２３７５トーン、およびＤＣ２  ２３８５トーンにおける境界、またはＤＣ１  ２３７５トーンおよびＤＣ２  ２３８５トーンにおける境界をそれぞれ維持するために使用され得る。８０ＭＨｚ送信は、各々が（図の上部における）−５１２から（図の下部における）＋５１１までのインデックス数を有し得る、１０２４個のトーンを含み得る。これらのトーンのうち、（左ガードトーン２３３５および右ガードトーン２３４５を含む）１４個または１７個がガードトーンとして使用されてよく、１４個（たとえば、［−７：６］または［−６：７］）または１３個がＤＣトーン２３２５として使用されてよい。さらに、１４個または１３個のトーンがＤＣ１トーン２３７５に関して使用されてよく、１４個または１３個のトーンがＤＣ２トーン２３８５に関して使用されてよい。これは、１１４個のトーンのＳＢサイズが使用されることを可能にし得、送信は８個のＳＢ２３０５を含み得る。概して、１１４個のトーンを送信することは、ＩＥＥＥ８０２．１１ａｃおよび／またはＩＥＥＥ８０２．１１ａｈ規格の一部として含まれる既存のトーンプランを使用することができる。この割振りは、それらの半分がＤＣ１  ２３７５トーンの各側にある、２８個のトーンを有するＬＣＢ２３５５と、それらの半分がＤＣ２  ２３８５トーンの各側にある、２８個のトーンを有するＲＣＢ２３６５とを有することができる。ＬＣＢ＋ＲＣＢは一緒に、１個の５６トーン割振りに適合し得るか、または、個々に、２個の１４トーン割振りに適合し得ることに留意されたい。トーンを異なる数のデバイスに異なる量で割り振るために、これらのブロック（ＬＣＢ２３５５、ＲＣＢ２３６５、およびＳＢ２３０５）が様々な組合せで１人、２人、３人、またはより多くのユーザの間に割り振られてよい。たとえば、新しい１０２４ＦＦＴ数秘学を使用して、各ＳＢ２３０５およびＬＣＢ＋ＲＣＢが単一のユーザに割り振られてよい。
【００９２】
[00124]図２４は、８０ＭＨｚ送信のために提案される別の割振りを示す。この割振りは、２０＋２０＋４０ＭＨｚのための境界、すなわち、ＤＣ２４２５トーンおよびＤＣ１  ２４７５トーンにおける境界を維持するために使用され得る。前述のように、ＬＣＢ２４５５およびＲＣＢ２４６５に関する値とＤＣ１  ２４７５およびＤＣ２に関する値とが交換された場合、このトーン割振りはＤＣ２４２５およびＤＣ２境界を維持するために使用されることも可能である。８０ＭＨｚ送信は、各々が（図の上部における）−５１２から（図の下部における）＋５１１までのインデックス数を有し得る、１０２４個のトーンを含み得る。これらのトーンのうち、（左ガードトーン２４３５および右ガードトーン２４４５を含む）１２個がガードトーンとして使用されてよく、１１個がＤＣトーン２４２５として使用されてよい。さらに、１１個のトーンがＤＣ１トーン２４７５のために使用され得る。これは、１１４個のトーンのＳＢサイズが使用されることを可能にし得、送信は８個のＳＢ２４０５を含み得る。概して、１１４個のトーンを送信することは、ＩＥＥＥ８０２．１１ａｃおよび／またはＩＥＥＥ８０２．１１ａｈ規格の一部として含まれる既存のトーンプランを使用することができる。この割振りは、それらの半分がＤＣ１トーン２４７５の各側にある、３４個のトーンを有するＬＣＢ２４５５と、４４個のトーンを有するＲＣＢ２４６５とを有することができる。ＬＣＢ＋ＲＣＢは一緒に、３個の２６トーン割振りに適合し得ることに留意されたい。トーンを異なる数のデバイスに異なる量で割り振るために、これらのブロック（ＬＣＢ２４５５、ＲＣＢ２４６５、およびＳＢ２４０５）が様々な組合せで１人、２人、３人、またはより多くのユーザの間に割り振られてよい。たとえば、新しい１０２４ＦＦＴ数秘学を使用して、各ＳＢ２４０５およびＬＣＢ＋ＲＣＢが単一のユーザに割り振られてよい。
【００９３】
[00125]図２５は、８０ＭＨｚ送信のために提案される別の割振りを示す。この割振りは、４０＋４０ＭＨｚのための境界、すなわち、ＤＣトーン２５２５における境界を維持するために使用され得る。８０ＭＨｚ送信は、各々が（図の上部における）−５１２から（図の下部における）＋５１１までのインデックス数を有し得る、１０２４個のトーンを含み得る。これらのトーンのうち、（左ガードトーン２５３５および右ガードトーン２５４５を含む）１４個がガードトーンとして使用されてよく、１４個がＤＣトーン２５２５として使用されてよい。これは、２４２個のトーンのＳＢサイズが使用されることを可能にし得、送信は４個のＳＢ２５０５を含み得る。概して、２４２個のトーンを送信することは、ＩＥＥＥ８０２．１１ａｃおよび／またはＩＥＥＥ８０２．１１ａｈ規格の一部として含まれる既存のトーンプランを使用することができる。この割振りは、それらのトーンの半分がＤＣトーン２５２５の各側にある、２８個のトーンを有するＣＢ２５１５を有することができる。ＣＢ２５１５は２個の１４トーン割振りに適合し得ることに留意されたい。異なる数のデバイスに異なる量のトーンを割り振るために、これらのブロック（ＣＢ２５１５およびＳＢ２５０５）が様々な組合せで１人、２人、３人、またはより多くのユーザの間に割り振られてよい。たとえば、新しい１０２４ＦＦＴ数秘学を使用して、各ＳＢ２５０５およびＣＢ２５１５が単一のユーザに割り振られてよい。
【００９４】
[00126]図２５は、８０ＭＨｚ送信のために提案される別の割振りも示す。この割振りは、４０＋４０ＭＨｚのための境界、すなわち、ＤＣトーン２５２５における境界を維持するために使用され得る。８０ＭＨｚ送信は、各々が（図の上部における）−５１２から（図の下部における）＋５１１までのインデックス数を有し得る、１０２４個のトーンを含み得る。これらのトーンのうち、（左ガードトーン２５３５および右ガードトーン２５４５を含む）１５個がガードトーンとして使用されてよく、１５個がＤＣトーン２５２５として使用されてよい。これは、２４２個のトーンのＳＢサイズが使用されることを可能にし得、送信は４個のＳＢ２５０５を含み得る。概して、２４２個のトーンを送信することは、ＩＥＥＥ８０２．１１ａｃおよび／またはＩＥＥＥ８０２．１１ａｈ規格の一部として含まれる既存のトーンプランを使用することができる。この割振りは、それらのトーンの半分がＤＣトーン２５２５の各側にある、２６個のトーンを有するＣＢ２５１５を有することができる。ＣＢ２５１５は１個の２６トーン割振りに適合し得ることに留意されたい。異なる数のデバイスに異なる量のトーンを割り振るために、これらのブロック（ＣＢ２５１５およびＳＢ２５０５）が様々な組合せで１人、２人、３人、またはより多くのユーザの間に割り振られてよい。たとえば、新しい１０２４ＦＦＴ数秘学を使用して、各ＳＢ２５０５およびＣＢ２５１５が単一のユーザに割り振られてよい。
【００９５】
[00127]図２６は、８０ＭＨｚ送信のために提案される別の割振りを示す。この割振りは、２０＋２０＋２０＋２０ＭＨｚまたは２０＋４０＋２０Ｍｚのための境界、すなわち、ＤＣトーン２６２５における境界を維持するために使用され得る。８０ＭＨｚ送信は、各々が（図の上部における）−５１２から（図の下部における）＋５１１までのインデックス数を有し得る、１０２４個のトーンを含み得る。これらのトーンのうち、（左ガードトーン２６３５および右ガードトーン２６４５を含む）１４個がガードトーンとして使用されてよく、１４個がＤＣトーン２６２５として使用されてよい。１４個のＤＣ１トーン２６７５および１４個のＤＣ２トーン２６８５も存在し得る。これは、２４２個のトーンのＳＢサイズが使用されることを可能にし得、送信は４個のＳＢ２６０５を含み得る。概して、２４２個のトーンを送信することは、ＩＥＥＥ８０２．１１ａｃおよび／またはＩＥＥＥ８０２．１１ａｈ規格の一部として含まれる既存のトーンプランを使用することができる。異なる数のデバイスに異なる量のトーンを割り振るために、これらのＳＢ２６０５が様々な組合せで１人、２人、３人、またはより多くのユーザの間に割り振られてよい。たとえば、新しい１０２４ＦＦＴ数秘学を使用して、各ＳＢ２６０５が単一のユーザに割り振られてよい。この割振りでは、何のＬＣＢ２６５５またはＲＣＢ２６６５も存在しない場合がある。
【００９６】
[00128]図２７は、８０ＭＨｚ送信のために提案される別の割振りを示す。この割振りは、２０＋４０＋２０ＭＨｚのための境界、すなわち、ＤＣトーン２７２５における境界を維持するために使用され得る。８０ＭＨｚ送信は、各々が（図の上部における）−５１２から（図の下部における）＋５１１までのインデックス数を有し得る、１０２４個のトーンを含み得る。これらのトーンのうち、（左ガードトーン２７３５および右ガードトーン２７４５を含む）１１個がガードトーンとして使用されてよく、９個がＤＣトーン２７２５として使用されてよい。１１個のＤＣ１トーン２７７５および１１個のＤＣ２トーン２７８５も存在し得る。これは、２４２個のトーンのＳＢサイズが使用されることを可能にし得、送信は４個のＳＢ２７０５を含み得る。この割振りは、ＤＣ１  ２７７５の周囲に７個のトーンを有するＬＣＢ２７５５と、ＤＣ２  ２７８５の周囲に７個のトーンを有するＲＣＢ２７６５とを有することができる。概して、２４２個のトーンを送信することは、ＩＥＥＥ８０２．１１ａｃおよび／またはＩＥＥＥ８０２．１１ａｈ規格の一部として含まれる既存のトーンプランを使用することができる。ＬＣＢ＋ＲＣＢは一緒に、１個の１４トーン割振りに適合し得ることに留意されたい。トーンを異なる数のデバイスに異なる量で割り振るために、これらのブロック（ＬＣＢ２７５５、ＲＣＢ２７６５、およびＳＢ２７０５）が様々な組合せで１人、２人、３人、またはより多くのユーザの間に割り振られてよい。たとえば、新しい１０２４ＦＦＴ数秘学を使用して、各ＳＢ２７０５およびＬＣＢ＋ＲＣＢが単一のユーザに割り振られてよい。
【００９７】
[00129]図２８は、８０ＭＨｚ送信のために提案される別の割振りを示す。この割振りは、２０＋２０＋４０ＭＨｚのための境界、すなわち、ＤＣ２８２５トーンおよびＤＣ１  ２８７５トーンにおける境界を維持するために使用され得る。前述のように、ＬＣＢ２８５５およびＲＣＢ２８６５に関する値とＤＣ１  ２８７５およびＤＣ２に関する値とが交換された場合、この割振りは代わりにＤＣ２８２５トーンおよびＤＣ２トーンにおける境界を保護することができる。８０ＭＨｚ送信は、各々が（図の上部における）−５１２から（図の下部における）＋５１１までのインデックス数を有し得る、１０２４個のトーンを含み得る。これらのトーンのうち、（左ガードトーン２８３５および右ガードトーン２８４５を含む）１４個がガードトーンとして使用されてよく、１４個が（［−７：６］または［−６：７］において）ＤＣトーン２８２５として使用されてよい。これは、２４２個のトーンのＳＢサイズが使用されることを可能にし得、送信は４個のＳＢ２８０５を含み得る。概して、２４２個のトーンを送信することは、ＩＥＥＥ８０２．１１ａｃおよび／またはＩＥＥＥ８０２．１１ａｈ規格の一部として含まれる既存のトーンプランを使用することができる。この割振りは、１４個のトーンを有するＲＣＢ２８６５を有することも可能である。ＲＣＢ２８６５は１個の１４トーン割振りに適合し得ることに留意されたい。異なる数のデバイスに異なる量のトーンを割り振るために、これらのブロック（ＲＣＢ２８６５およびＳＢ２８０５）が様々な組合せで１人、２人、３人、またはより多くのユーザの間に割り振られてよい。たとえば、新しい１０２４ＦＦＴ数秘学を使用して、各ＳＢ２８０５およびＲＣＢ２８６５が単一のユーザに割り振られてよい。
【００９８】
[00130]図２９は、８０ＭＨｚ送信のために提案される別の割振りを示す。この割振りは、４０＋４０ＭＨｚのための境界、すなわち、ＤＣトーン２９２５における境界を維持するために使用され得る。８０ＭＨｚ送信は、各々が（図の上部における）−５１２から（図の下部における）＋５１１までのインデックス数を有し得る、１０２４個のトーンを含み得る。これらのトーンのうち、（左ガードトーン２９３５および右ガードトーン２９４５を含む）１７個または１５個がガードトーンとして使用されてよく、１１個または１３個がＤＣトーン２９２５として使用されてよい。これは、４８４個のトーンのＳＢサイズが使用されることを可能にし得、送信は２個のＳＢ２９０５を含み得る。概して、４８４個のトーンを送信することは、ＩＥＥＥ８０２．１１ａｃおよび／またはＩＥＥＥ８０２．１１ａｈ規格の一部として含まれる既存のトーンプランを使用することができる。この割振りは、２８個のトーンを有するＣＢ２９１５を有することができる。ＣＢ２９１５は２個の１４トーン割振りに適合し得ることに留意されたい。異なる数のデバイスに異なる量のトーンを割り振るために、これらのブロック（ＣＢ２９１５およびＳＢ２９０５）が様々な組合せで１人、２人、３人、またはより多くのユーザの間に割り振られてよい。たとえば、新しい１０２４ＦＦＴ数秘学を使用して、各ＳＢ２９０５およびＣＢ２９１５が単一のユーザに割り振られてよい。
【００９９】
[00131]図２９は、８０ＭＨｚ送信のために提案される別の割振りも示す。この割振りは、４０＋４０ＭＨｚのための境界、すなわち、ＤＣトーン２９２５における境界を維持するために使用され得る。８０ＭＨｚ送信は、各々が（図の上部における）−５１２から（図の下部における）＋５１１までのインデックス数を有し得る、１０２４個のトーンを含み得る。これらのトーンのうち、（左ガードトーン２９３５および右ガードトーン２９４５を含む）１９個または１７個がガードトーンとして使用されてよく、１１個または１３個がＤＣトーン２９２５として使用されてよい。これは、４８４個のトーンのＳＢサイズが使用されることを可能にし得、送信は２個のＳＢ２９０５を含み得る。概して、４８４個のトーンを送信することは、ＩＥＥＥ８０２．１１ａｃおよび／またはＩＥＥＥ８０２．１１ａｈ規格の一部として含まれる既存のトーンプランを使用することができる。この割振りは、２６個のトーンを有するＣＢ２９１５を有することができる。ＣＢ２９１５は１個の２６トーン割振りに適合し得ることに留意されたい。異なる数のデバイスに異なる量のトーンを割り振るために、これらのブロック（ＣＢ２９１５およびＳＢ２９０５）が様々な組合せで１人、２人、３人、またはより多くのユーザの間に割り振られてよい。たとえば、新しい１０２４ＦＦＴ数秘学を使用して、各ＳＢ２９０５およびＣＢ２９１５が単一のユーザに割り振られてよい。
【０１００】
[00132]図３０は、ワイヤレス通信ネットワークを介した通信の例示的な方法のフローチャート３０００を示す。この方法は、図２に示したワイヤレスデバイス２０２または図１に示したＡＰ１０４など、本明細書で説明するデバイスによって全体的にまたは部分的に実装され得る。本明細書では、示された方法について、図１に関して上で論じたワイヤレス通信システム１００、および図２８に関して上で論じた１つの例示的なトーンプランを参照しながら説明するが、示された方法は、本明細書で説明する別のデバイスもしくは送信、または任意の他の好適なデバイスもしくは送信によって実装され得ることが当業者には諒解されよう。本明細書では、示された方法について、特定の順序に関して説明するが、様々な実施形態では、本明細書のブロックは、異なる順序で実行されるか、または省略され得、さらなるブロックが追加され得る。この方法は、いくつかの異なるデバイスがアップリンクＯＦＤＭＡ送信またはダウンリンクＯＦＤＭＡ送信を送信または受信することを可能にするために、それらのデバイスの間で帯域幅を分割するために使用され得る。
【０１０１】
[00133]ブロック３０１０において、ＡＰ１０４は、第１の仕様によるメッセージの送信のための総帯域幅を決定し、総帯域幅は複数のトーンを備える。たとえば、この帯域幅は、２０ＭＨｚ、４０ＭＨｚ、または８０ＭＨｚのうちの１つであり得る。図２８に示す一例では、示された総帯域幅は８０ＭＨｚである。総帯域幅の部分は、第１の仕様とは異なる第２の仕様に従う送信によって占有される。たとえば、一実施形態では、ＡＰ１０４は、８０ＭＨｚ  ＢＷ全体を感知することが可能であり得、第２の物理２０ＭＨｚが（実装側のデバイスによって採用される仕様とは異なる仕様による任意の送信を指すレガシー送信であり得る）レガシー送信２８９０によって占有されていることを見出す。いくつかの態様では、複数のトーンは、データトーンまたはパイロットトーンとして使用され得る、いくつかの使用可能なトーンを含み、メッセージは、ガードトーンと直流トーンとをさらに含む。いくつかの態様では、決定するための手段はプロセッサを含み得る。
【０１０２】
[00134]様々な実施形態では、第１の仕様は米国電気電子技術者協会（ＩＥＥＥ）８０２．１１ａｘ仕様を含んでよい。第２の仕様は、異なるＩＥＥＥ８０２．１１仕様を含み得る。たとえば、第２の仕様は、ＩＥＥＥ８０２．１１ａ、８０２．１１ｂ、８０２．１１ｎ、８０２．１１ａｃなどを含み得る。他の実施形態では、第１の仕様は、８０２．１１ａｘ以外のＩＥＥＥ８０２．１１仕様を含み得る。
【０１０３】
[00135]ブロック３０２０において、ＡＰ１０４は、第２の仕様に従って、少なくとも１つの物理的境界を維持するトーンを形成するために、複数のトーンを、複数の使用可能なトーンに、ならびに複数のガードトーンおよび複数の直流トーンに論理的に分割する。たとえば、使用可能なトーンは、データトーンおよび／またはパイロットトーンとして使用され得るトーンを含み得る。ガードトーンは、図３〜図２９において、左ガードトーンおよび右ガードトーンと標示されたトーンなど、送信のエッジに位置するトーンを含み得る。直流トーンは、図３〜図２９に示したように、ＤＣトーン、ならびにＤＣ１トーンおよびＤＣ２トーンを含み得る。図２９に関して、たとえば、ＡＰ１０４は、示された２０ＭＨｚおよび４０ＭＨｚのレガシー物理チャネル境界を維持するトーンプランを形成するために、左ガードトーン２８３５、ＤＣトーン２８７５および２８２５、ならびに右ガードトーン２８４５を割り振ることができる。論理的に分離するための手段はプロセッサを含み得る。たとえば、複数の直流トーンは、８０ＭＨｚ送信において直流トーンとして割り振られたトーンを含んでよく、グループ内のトーンは、トーンインデックス−２５６またはトーンインデックス２５６（すなわち、それぞれ、ＤＣ１トーンおよびＤＣ２トーン）のうちの１つを中心とする。
【０１０４】
[00136]様々な実施形態では、複数のトーンを論理的に分割することは、物理的２０ＭＨｚおよび／または４０ＭＨｚ境界を維持するのに十分なガードトーンを割り当てることを含み得る。たとえば、ＡＰ１０４は、第２の仕様に従って物理的２０／４０ＭＨｚ境界を維持することができる。様々な実施形態では、複数のトーンを論理的に分割することは、２０ＭＨｚおよび／または４０ＭＨｚ境界において１１個の直流トーンまたはガードトーンを割り当てることを含み得る。たとえば、ＡＰ１０４は、物理的２０／４０ＭＨｚ境界において１１個のＤＣトーンを割り当てることができる。別の例として、ＡＰ１０４は、物理的２０／４０ＭＨｚ境界において１１個のガードトーンを割り当てることができる。
【０１０５】
[00137]ブロック３０３０において、ＡＰ１０４は、総帯域幅内の複数の使用可能なトーンを複数のリソースユニットに論理的に分割する。いくつかの態様では、この分割は、図３〜図２９において見出されたトーンプランのうちの１つに従って行われ得る。たとえば、論理的に分割することは、トーンの個数を等しいサイズの標準ブロックに論理的に分割し、次いで、残余トーンをセンターブロック、左センターブロック、および右センターブロックのうちの１つまたは複数に割り振ることを含み得る。いくつかの態様では、論理的に分割するための手段はプロセッサを含み得る。図２８に関して、たとえば、ＡＰ１０４は、ブロック２８０５、２８５５、および２８６５のうちのいずれかにおいて使用可能なトーンをリソースユニットとして提供するトーンプランを形成することができる。いくつかの態様では、割り振るための手段はプロセッサを含み得る。たとえば、複数の使用可能なトーンを複数のリソースユニットに論理的に分割することは、複数の使用可能なトーンを複数のリソースユニットに論理的に分割することと、およびいずれのリソースユニット内にもない複数のトーン内のトーンの個数をセンターブロック、左センターブロック、および右センターブロックのうちの１つまたは複数に割り振ることを含み得る。概して、表示は、センターブロック、左センターブロック、および右センターブロックのうちの１つの少なくとも一部を複数のワイヤレス通信デバイスのうちのそのワイヤレス通信デバイスにさらに割り当てることができる。いくつかの態様では、センターブロック、左センターブロック、および右センターブロックのうちの１つまたは複数からのトーンはチャネル制御のために使用され得る。
【０１０６】
[00138]様々な実施形態では、複数の使用可能なトーンを論理的に分割することは、物理的２０ＭＨｚおよび／または４０ＭＨｚ境界を維持するリソースユニットを割り当てることを含み得る。たとえば、ＡＰ１０４は、上のブロック３０２０において維持された物理的２０／４０ＭＨｚ境界に適応するために、リソースユニットを調整することができる。
【０１０７】
[00139]ブロック３０４０において、ＡＰ１０４は、表示を決定し、表示は、複数のリソースユニットのうちの少なくとも２つを複数のワイヤレス通信デバイスのうちのワイヤレス通信デバイスに割り当て、チャネルボンディングする。この表示は、第２の仕様に従う送信によって占有される総帯域幅の部分を割り当てない。たとえば、一実施形態では、ＡＰ１０４は、（第１、第３、および第４の物理的２０ＭＨｚ）内で送信をスケジュールすることができる。そうするために、ＡＰ１０４は、第２の物理的２０ＭＨｚに隣接する十分なガードトーンを（ブロック３０２０および／または３０３０において）維持することができる。この例では、２０＋４０ＭＨｚチャネルは一緒にスケジュールされるため、これらのチャネルはボンディングされたチャネルと呼ばれる場合がある。図２８に関して、ＡＰ１０４が複数のリソースユニットを同じ局に割り振る一例では、それらのリソースユニットはボンディングされたチャネルであると言える。様々な実施形態では、ボンディングされたチャネルのリソースユニットは連続的であっても、または非連続的であってもよい。いくつかの態様では、決定するための手段はプロセッサを含み得る。
【０１０８】
[00140]ブロック３０５０において、ＡＰ１０４は、複数のワイヤレス通信デバイスに表示を送信する。いくつかの態様では、この表示は、トリガおよびＵＬ  ＯＦＤＭＡ送信し得るトリガメッセージであり得る。たとえば、このメッセージは、いくつかのワイヤレスデバイスに送信され得、それらのデバイスに、それらの割り振られたトーンと、ＵＬ  ＯＦＤＭＡ送信のタイミングなどの他の情報とを通知し得る。したがって、それらのデバイスは、表示において見られる情報に少なくとも部分的に基づいてＵＬ  ＯＦＤＭＡ送信を送信するように構成され得る。いくつかの態様では、この表示は、ダウンリンクメッセージのパケットヘッダであり得る。たとえば、ＤＬ  ＯＦＤＭＡメッセージは、パケットヘッダを含み得、この表示は、そのパケットヘッダの一部として含まれ得る。いくつかの態様では、送信するための手段は送信機を含み得る。他の実装形態では、この表示はビーコンまたはＩＥであり得る。
【０１０９】
[00141]情報および信号が様々な異なる技術および技法のいずれかを使用して表され得ることを、当業者なら理解されよう。たとえば、上記の説明全体にわたって参照され得るデータ、命令、コマンド、情報、信号、ビット、シンボル、およびチップは、電圧、電流、電磁波、磁場もしくは磁性粒子、光場もしくは光学粒子、またはそれらの任意の組合せによって表され得る。
【０１１０】
[00142]本開示で説明した実装形態への様々な修正は当業者には容易に明らかであり得、本明細書で定義した一般原理は、本開示の趣旨または範囲から逸脱することなく他の実装形態に適用され得る。したがって、本開示は、本明細書で示した実装形態に限定されるものではなく、本明細書で開示する特許請求の範囲、原理、および新規の特徴に一致する最も広い範囲を与られるべきである。「例示的」という単語は、本明細書ではもっぱら「例、事例、または例示の働きをすること」を意味するために使用される。「例示的」として本明細書で説明したいかなる実装形態も、必ずしも他の実装形態よりも好ましいまたは有利であると解釈されるべきであるとは限らない。
【０１１１】
[00143]また、別個の実装形態に関して本明細書で説明したいくつかの特徴は、単一の実装形態において組合せで実装され得る。また、逆に、単一の実装形態に関して説明した様々な特徴は、複数の実装形態において別個に、または任意の好適な部分組合せで実装され得る。その上、特徴は、いくつかの組合せで働くものとして上記で説明され、初めにそのように請求されることさえあるが、請求される組合せからの１つまたは複数の特徴は、場合によってはその組合せから削除され得、請求される組合せは、部分組合せ、または部分組合せの変形形態を対象とし得る。
【０１１２】
[00144]上記で説明した方法の様々な動作は、様々なハードウェアおよび／またはソフトウェア構成要素、回路、および／またはモジュールなど、それらの動作を実行することが可能な任意の好適な手段によって実行され得る。概して、図に示すどの動作も、その動作を実施することが可能な対応する機能的手段によって実行され得る。
【０１１３】
[00145]本開示に関連して説明した様々な例示的な論理ブロック、モジュールおよび回路は、汎用プロセッサ、デジタル信号プロセッサ（ＤＳＰ）、特定用途向け集積回路（ＡＳＩＣ）、フィールドプログラマブルゲートアレイ（ＦＰＧＡ）信号もしくは他のプログラマブル論理デバイス（ＰＬＤ）、個別ゲートもしくはトランジスタ論理、個別ハードウェア構成要素、または本明細書で説明した機能を実施するように設計されたそれらの任意の組合せを用いて実装または実施され得る。汎用プロセッサはマイクロプロセッサであり得るが、代替として、プロセッサは、任意の市販のプロセッサ、コントローラ、マイクロコントローラ、またはステートマシンであってよい。プロセッサはまた、コンピューティングデバイスの組合せ、たとえば、ＤＳＰとマイクロプロセッサとの組合せ、複数のマイクロプロセッサ、ＤＳＰコアと連携する１つもしくは複数のマイクロプロセッサ、または任意の他のそのような構成として実装され得る。
【０１１４】
[00146]１つまたは複数の態様では、説明した機能は、ハードウェア、ソフトウェア、ファームウェア、またはそれらの任意の組合せで実装され得る。ソフトウェアで実装される場合、機能は、１つまたは複数の命令またはコードとしてコンピュータ可読媒体上に記憶されるか、またはコンピュータ可読媒体を介して送信され得る。コンピュータ可読媒体は、コンピュータプログラムのある場所から別の場所への転送を容易にする任意の媒体を含む、コンピュータ記憶媒体と通信媒体の両方を含む。記憶媒体は、コンピュータによってアクセスし得る任意の利用可能な媒体とすることができる。限定ではなく例として、そのようなコンピュータ可読媒体は、ＲＡＭ、ＲＯＭ、ＥＥＰＲＯＭ（登録商標）、ＣＤ−ＲＯＭもしくは他の光ディスクストレージ、磁気ディスクストレージもしくは他の磁気記憶デバイス、または命令またはデータ構造の形態の所望のプログラムコードを搬送または記憶するために使用され得、コンピュータによってアクセスされ得る任意の他の媒体を備え得る。また、いかなる接続もコンピュータ可読媒体と適切に呼ばれる。たとえば、同軸ケーブル、光ファイバケーブル、ツイストペア、デジタル加入者線（ＤＳＬ）、または赤外線、無線、およびマイクロ波などのワイヤレス技術を使用して、ソフトウェアがウェブサイト、サーバまたは他のリモートソースから送信される場合、同軸ケーブル、光ファイバケーブル、ツイストペア、ＤＳＬ、または赤外線、無線、およびマイクロ波などワイヤレス技術は、媒体の定義に含まれる。本明細書で使用するディスク（disk）およびディスク（disc）は、コンパクトディスク（disc）（ＣＤ）、レーザーディスク（登録商標）（disc）、光ディスク（disc）、デジタル多用途ディスク（disc）（ＤＶＤ）、フロッピー（登録商標）ディスク（disk）およびＢｌｕ−ｒａｙ（登録商標）ディスク（disc）を含み、ここで、ディスク（disk）は、通常、データを磁気的に再生し、ディスク（disc）は、データをレーザーで光学的に再生する。したがって、いくつかの態様では、コンピュータ可読媒体は非一時的コンピュータ可読媒体（たとえば、有形媒体）を備えることができる。上記の組合せもコンピュータ可読媒体の範囲に含まれるべきである。
【０１１５】
[00147]本明細書で開示した方法は、説明した方法を達成するための１つまたは複数のステップまたはアクションを備える。方法のステップおよび／またはアクションは、特許請求の範囲から逸脱することなく互いに交換され得る。言い換えれば、ステップまたはアクションの特定の順序が指定されない限り、特定のステップおよび／またはアクションの順序および／または使用は、特許請求の範囲から逸脱することなく変更され得る。
【０１１６】
[00148]上記は本開示の態様を対象とするが、それの基本的範囲から逸脱することなく本開示の他の態様およびさらなる態様が考案され得、それの範囲は以下の特許請求の範囲によって決定される。
以下に本願の出願当初の特許請求の範囲に記載された発明を付記する。
［Ｃ１］
ワイヤレス通信ネットワークを介して通信する方法であって、
第１の仕様に従ってメッセージの送信のための総帯域幅を決定することと、前記総帯域幅が複数のトーンを備える、ここにおいて、前記総帯域幅の部分が、前記第１の仕様とは異なる第２の仕様に従う送信によって占有される、
前記第２の仕様に従って、少なくとも１つの物理的境界を維持するトーンプランを形成するために、前記複数のトーンを、複数の使用可能なトーンに、ならびに複数のガードトーンおよび複数の直流トーンに論理的に分割することと、
前記複数の使用可能なトーンを複数のリソースユニットに論理的に分割することと、
表示を決定することと、前記表示が、前記複数のリソースユニットのうちの少なくとも２つを複数のワイヤレス通信デバイスのうちのワイヤレス通信デバイスに割り当て、チャネルボンディングする、ここにおいて、前記表示が、前記第２の仕様に従って前記送信によって占有される前記総帯域幅の前記部分を割り当てない、
前記複数のワイヤレス通信デバイスに前記表示を送信することとを備える、方法。
［Ｃ２］
前記第１の仕様が電気電子技術者協会（ＩＥＥＥ）８０２．１１ａｘ仕様を備え、前記第２の仕様が異なるＩＥＥＥ８０２．１１仕様を備える、Ｃ１に記載の方法。
［Ｃ３］
前記複数のトーンを前記論理的に分割することが、物理的２０ＭＨｚおよび／または４０ＭＨｚ境界を維持するのに十分なガードトーンを割り当てることを備える、Ｃ１に記載の方法。
［Ｃ４］
前記複数のトーンを前記論理的に分割することが、２０ＭＨｚおよび／または４０ＭＨｚ境界において１１個の直流トーンまたはガードトーンを割り当てることを備える、Ｃ１に記載の方法。
［Ｃ５］
前記複数の使用可能なトーンを前記論理的に分割することが、物理的２０ＭＨｚおよび／または４０ＭＨｚ境界を維持するリソースユニットを割り当てることを備える、Ｃ１に記載の方法。
［Ｃ６］
前記複数の直流トーンが、８０ＭＨｚ送信において直流トーンとして割り振られたトーンを含み、グループ内の前記トーンが、トーンインデックス−２５６またはトーンインデックス２５６のうちの１つを中心とする、Ｃ１に記載の方法。
［Ｃ７］
前記複数の使用可能なトーンを前記複数のリソースユニットに論理的に分割することが、いずれのリソースユニット内にもない前記複数のトーン内のトーンの個数をセンターブロック、左センターブロック、および右センターブロックのうちの１つまたは複数に割り振ることを備える、Ｃ１に記載の方法。
［Ｃ８］
前記表示が、前記センターブロック、前記左センターブロック、および前記右センターブロックのうちの１つの少なくとも一部を前記複数のワイヤレス通信デバイスのうちの前記ワイヤレス通信デバイスにさらに割り当てる、Ｃ７に記載の方法。
［Ｃ９］
前記センターブロック、前記左センターブロック、および前記右センターブロックのうちの１つまたは複数からのトーンがチャネル制御のために使用される、Ｃ７に記載の方法。
［Ｃ１０］
ワイヤレス通信のための装置であって、
第１の仕様に従ってメッセージの送信のための総帯域幅を決定することと、前記総帯域幅が複数のトーンを備える、ここにおいて、前記総帯域幅の部分が、前記第１の仕様とは異なる第２の仕様に従う送信によって占有される、
前記第２の仕様に従って、少なくとも１つの物理的境界を維持するトーンプランを形成するために、前記複数のトーンを、複数の使用可能なトーンに、ならびに複数のガードトーンおよび複数の直流トーンに論理的に分割することと、
前記複数の使用可能なトーンを複数のリソースユニットに論理的に分割することと、
表示を決定することと、前記表示が、前記複数のリソースユニットのうちの少なくとも２つを複数のワイヤレス通信デバイスのうちのワイヤレス通信デバイスに割り当て、チャネルボンディングする、ここにおいて、前記表示が、前記第２の仕様に従って前記送信によって占有される前記総帯域幅の前記部分を割り当てない
を行うように構成された処理システムと、
前記複数のワイヤレス通信デバイスに前記表示を送信するように構成された送信機とを備える、装置。
［Ｃ１１］
前記第１の仕様が米国電気電子技術者協会（ＩＥＥＥ）８０２．１１ａｘ仕様を備え、前記第２の仕様が異なるＩＥＥＥ８０２．１１仕様を備える、Ｃ１０に記載の装置。
［Ｃ１２］
前記処理システムが、物理的２０ＭＨｚおよび／または４０ＭＨｚ境界を維持するのに十分なガードトーンを割り当てることによって、前記複数のトーンを論理的に分割するように構成される、Ｃ１０に記載の装置。
［Ｃ１３］
前記処理システムが、物理的２０ＭＨｚおよび／または４０ＭＨｚ境界において１１個の直流トーンまたはガードトーンを割り当てることによって、前記複数のトーンを論理的に分割するように構成される、Ｃ１０に記載の装置。
［Ｃ１４］
前記処理システムが、物理的２０ＭＨｚおよび／または４０ＭＨｚ境界を維持するリソースユニットを割り当てることによって、前記複数の使用可能なトーンを論理的に分割するように構成される、Ｃ１０に記載の装置。
［Ｃ１５］
前記複数の直流トーンが、８０ＭＨｚ送信において直流トーンとして割り振られたトーンを含み、グループ内の前記トーンが、トーンインデックス−２５６またはトーンインデックス２５６のうちの１つを中心とする、Ｃ１０に記載の装置。
［Ｃ１６］
前記処理システムが、いずれのリソースユニット内にもない前記複数のトーン内のトーンの個数をセンターブロック、左センターブロック、および右センターブロックのうちの１つまたは複数に割り振ることによって、前記複数の使用可能なトーンを複数のリソースユニットに論理的に分割するように構成される、Ｃ１０に記載の装置。
［Ｃ１７］
前記表示が、前記センターブロック、前記左センターブロック、および前記右センターブロックのうちの１つの少なくとも一部を前記複数のワイヤレス通信デバイスのうちの前記ワイヤレス通信デバイスにさらに割り当てる、Ｃ１６に記載の装置。
［Ｃ１８］
前記センターブロック、前記左センターブロック、および前記右センターブロックのうちの１つまたは複数からのトーンがチャネル制御のために使用される、Ｃ１６に記載の装置。
［Ｃ１９］
ワイヤレス通信のための装置であって、
第１の仕様に従ってメッセージの送信のための総帯域幅を決定するための手段と、前記総帯域幅が複数のトーンを備える、ここにおいて、前記総帯域幅の部分が、前記第１の仕様とは異なる第２の仕様に従う送信によって占有される、
前記第２の仕様に従って、少なくとも１つの物理的境界を維持するトーンプランを形成するために、前記複数のトーンを、複数の使用可能なトーンに、ならびに複数のガードトーンおよび複数の直流トーンに論理的に分割するための手段と、
前記複数の使用可能なトーンを複数のリソースユニットに論理的に分割するための手段と、
表示を決定するための手段と、前記表示が、前記複数のリソースユニットのうちの少なくとも２つを複数のワイヤレス通信デバイスのうちのワイヤレス通信デバイスに割り当て、チャネルボンディングする、ここにおいて、前記表示が、前記第２の仕様に従って前記送信によって占有される前記総帯域幅の前記部分を割り当てない、
前記複数のワイヤレス通信デバイスに前記表示を送信するための手段とを備える、装置。
［Ｃ２０］
前記第１の仕様が米国電気電子技術者協会（ＩＥＥＥ）８０２．１１ａｘ仕様を備え、前記第２の仕様が異なるＩＥＥＥ８０２．１１仕様を備える、Ｃ１９に記載の装置。
［Ｃ２１］
前記複数のトーンを論理的に分割するための手段が、物理的２０ＭＨｚおよび／または４０ＭＨｚ境界を維持するのに十分なガードトーンを割り当てるための手段を備える、Ｃ１９に記載の装置。
［Ｃ２２］
前記複数のトーンを論理的に分割するための手段が、２０ＭＨｚおよび／または４０ＭＨｚ境界において１１個の直流トーンまたはガードトーンを割り当てるための手段を備える、Ｃ１９に記載の装置。
［Ｃ２３］
前記複数の使用可能なトーンを論理的に分割するための手段が、物理的２０ＭＨｚおよび／または４０ＭＨｚ境界を維持するリソースユニットを割り当てるための手段を備える、Ｃ１９に記載の装置。
［Ｃ２４］
前記複数の直流トーンが、８０ＭＨｚ送信において直流トーンとして割り振られたトーンを含み、グループ内の前記トーンが、トーンインデックス−２５６またはトーンインデックス２５６のうちの１つを中心とする、Ｃ１９に記載の装置。
［Ｃ２５］
前記複数の使用可能なトーンを前記複数のリソースユニットに論理的に分割するための手段が、いずれのリソースユニット内にもない前記複数のトーン内のトーンの個数をセンターブロック、左センターブロック、および右センターブロックのうちの１つまたは複数に割り振るためのコンプライズミーンズ、Ｃ１９に記載の装置。
［Ｃ２６］
前記表示が、前記センターブロック、前記左センターブロック、および前記右センターブロックのうちの１つの少なくとも一部を前記複数のワイヤレス通信デバイスのうちの前記ワイヤレス通信デバイスにさらに割り当てる、Ｃ２５に記載の装置。
［Ｃ２７］
前記センターブロック、前記左センターブロック、および前記右センターブロックのうちの１つまたは複数からのトーンがチャネル制御のために使用される、Ｃ２５に記載の装置。
［Ｃ２８］
実行されると、装置に、
第１の仕様に従ってメッセージの送信のための総帯域幅を決定することと、前記総帯域幅が複数のトーンを備える、ここにおいて、前記総帯域幅の部分が、前記第１の仕様とは異なる第２の仕様に従う送信によって占有される、
前記第２の仕様に従って、少なくとも１つの物理的境界を維持するトーンプランを形成するために、前記複数のトーンを、複数の使用可能なトーンに、ならびに複数のガードトーンおよび複数の直流トーンに論理的に分割することと、
前記複数の使用可能なトーンを複数のリソースユニットに論理的に分割することと、
表示を決定することと、前記表示が、前記複数のリソースユニットのうちの少なくとも２つを複数のワイヤレス通信デバイスのうちのワイヤレス通信デバイスに割り当て、チャネルボンディングする、ここにおいて、前記表示が、前記第２の仕様に従って前記送信によって占有される前記総帯域幅の前記部分を割り当てない、
前記複数のワイヤレス通信デバイスに前記表示を送信することとを行わせるコードを備えた、非一時的コンピュータ可読媒体。
［Ｃ２９］
前記第１の仕様が米国電気電子技術者協会（ＩＥＥＥ）８０２．１１ａｘ仕様を備え、前記第２の仕様が異なるＩＥＥＥ８０２．１１仕様を備える、Ｃ２８に記載の媒体。
［Ｃ３０］
前記複数のトーンを前記論理的に分割することが、物理的２０ＭＨｚおよび／または４０ＭＨｚ境界を維持するのに十分なガードトーンを割り当てることを備える、Ｃ２８に記載の媒体。
［Ｃ３１］
前記複数のトーンを前記論理的に分割することが、２０ＭＨｚおよび／または４０ＭＨｚ境界において１１個の直流トーンまたはガードトーンを割り当てることを備える、Ｃ２８に記載の媒体。
［Ｃ３２］
前記複数の使用可能なトーンを前記論理的に分割することが、物理的２０ＭＨｚおよび／または４０ＭＨｚ境界を維持するリソースユニットを割り当てることを備える、Ｃ２８に記載の媒体。
［Ｃ３３］
前記複数の直流トーンが、８０ＭＨｚ送信において直流トーンとして割り振られたトーンを含み、グループ内の前記トーンが、トーンインデックス−２５６またはトーンインデックス２５６のうちの１つを中心とする、Ｃ２８に記載の媒体。
［Ｃ３４］
前記複数の使用可能なトーンを前記複数のリソースユニットに論理的に分割することが、いずれのリソースユニット内にもない前記複数のトーン内のトーンの個数をセンターブロック、左センターブロック、および右センターブロックのうちの１つまたは複数に割り振ることを備える、Ｃ２８に記載の媒体。
［Ｃ３５］
前記表示が、前記センターブロック、前記左センターブロック、および前記右センターブロックのうちの１つの少なくとも一部を前記複数のワイヤレス通信デバイスのうちの前記ワイヤレス通信デバイスにさらに割り当てる、Ｃ３４に記載の媒体。
［Ｃ３６］
前記センターブロック、前記左センターブロック、および前記右センターブロックのうちの１つまたは複数からのトーンがチャネル制御のために使用される、Ｃ３４に記載の媒体。
【図１】
0006591534.tif 000002
【図２】
0006591534.tif 000003
【図３】
0006591534.tif 000004
【図４】
0006591534.tif 000005
【図５】
0006591534.tif 000006
【図６】
0006591534.tif 000007
【図７】
0006591534.tif 000008
【図８】
0006591534.tif 000009
【図９】
0006591534.tif 000010
【図１０】
0006591534.tif 000011
【図１１】
0006591534.tif 000012
【図１２】
0006591534.tif 000013
【図１３】
0006591534.tif 000014
【図１４】
0006591534.tif 000015
【図１５】
0006591534.tif 000016
【図１６】
0006591534.tif 000017
【図１７】
0006591534.tif 000018
【図１８】
0006591534.tif 000019
【図１９】
0006591534.tif 000020
【図２０】
0006591534.tif 000021
【図２１】
0006591534.tif 000022
【図２２】
0006591534.tif 000023
【図２３】
0006591534.tif 000024
【図２４】
0006591534.tif 000025
【図２５】
0006591534.tif 000026
【図２６】
0006591534.tif 000027
【図２７】
0006591534.tif 000028
【図２８】
0006591534.tif 000029
【図２９】
0006591534.tif 000030
【図３０】
0006591534.tif 000031